(57)【特許請求の範囲】
【請求項１】
冷媒搬送手段(11)、放熱手段(12)、減圧手段(13)及び吸熱手段(15)が冷媒配管(16)によって熱源側冷媒の循環が可能に順に接続された熱源側冷媒回路(A) と、
利用側液冷媒を貯留し上記放熱手段(12)の熱源側冷媒から熱を受けて利用側液冷媒が蒸発する温熱源手段(1) 、利用側ガス冷媒を貯留し吸熱手段(15)の熱源側冷媒により熱が奪われて利用側ガス冷媒が凝縮する冷熱源手段(2) 及び利用側手段(3) が配管により接続された利用側冷媒回路(B) とを備え、
上記熱源側冷媒回路(A) において、冷媒搬送手段(11)から熱源側冷媒を放熱手段(12)に供給し、該放熱手段(12)において熱源側冷媒から温熱源手段(1) の利用側液冷媒に熱を与えた後、該熱源側冷媒を減圧手段(13)で減圧して吸熱手段(15)で蒸発させて冷熱源手段(2) の利用側ガス冷媒から熱を奪う一方、
上記利用側冷媒回路(B) において、放熱手段(12)の熱源側冷媒から熱が与えられる温熱源手段(1) の利用側液冷媒を蒸発させ、これによる温熱源手段(1) の内圧上昇を利用して利用側冷媒回路(B) 内の利用側液冷媒を利用側手段(3) に供給し、この供給された利用側液冷媒を利用側手段(3) で蒸発させ、吸熱手段(15)の熱源側冷媒により熱が奪われる冷熱源手段(2) の利用側ガス冷媒を凝縮させ、これによる冷熱源手段(2) の内圧下降を利用して利用側手段(3) で蒸発した利用側ガス冷媒を冷熱源手段(2) に供給するようにした熱搬送装置であって、
上記冷媒搬送手段(11)の下流側には、放熱手段(12)で熱源側冷媒が過冷却されるように、冷媒搬送手段(11)からの熱源側冷媒を凝縮させる凝縮手段(14)が設けられていることを特徴とする熱搬送装置。
【請求項２】
利用側冷媒回路(B) は、温熱源手段(1) と冷熱源手段(2) とがガス流通管(4) 及び液流通管(5) によって接続されて閉回路を形成し、利用側手段(3) が冷媒配管(6,7) によってガス流通管(4) 及び液流通管(5) に接続された構成となっており、
温熱源手段(1) で蒸発した利用側ガス冷媒をガス流通管(4) により冷熱源手段(2) に供給して該冷熱源手段(2) の利用側液冷媒を冷媒配管(7) を経て利用側手段(3) に押し出し、
上記冷熱源手段(2) に利用側ガス冷媒が、利用側手段(3) に利用側液冷媒が夫々導入されている状態で、冷熱源手段(2) において利用側ガス冷媒を凝縮させた時、冷熱源手段(2) の圧力降下により生じる利用側手段(3) と冷熱源手段(2) との圧力差により、利用側手段(3) で蒸発する冷媒を冷媒配管(6) を経て冷熱源手段(2) に供給することを特徴とする請求項１記載の熱搬送装置。
【請求項３】
利用側手段(3) は、冷媒が蒸発する吸熱運転及び凝縮する放熱運転が可能となっており、
熱源側冷媒回路(A) は、上記利用側手段(3) の吸熱運転時、冷媒搬送手段(11)からの熱源側冷媒を、凝縮手段(14)、放熱手段(12)、減圧手段(13)、吸熱手段(15)の順で流す一方、利用側手段(3) の放熱運転時、冷媒搬送手段(11)から放熱手段(12)に供給された熱源側冷媒を、減圧手段(13)を経て凝縮手段(14)及び吸熱手段(15)に分流するように回路を切換える回路切換え手段(E) を備えていることを特徴とする請求項１または２記載の熱搬送装置。
【請求項４】
利用側手段は、空調用室内に配置された室内熱交換器(3) であって、凝縮手段は、室外空気との間で熱交換を行う室外熱交換器(14)であることを特徴とする請求項１、２または３記載の熱搬送装置。
【発明の詳細な説明】
【０００１】
【発明の属する技術分野】
本発明は、例えば空気調和機の冷媒回路などに利用可能な熱搬送装置に係り、特に、ポンプ等の駆動源を必要とすることなしに回路内で熱搬送媒体を循環させて熱搬送を行うようにした装置の性能向上対策に関する。
【０００２】
【従来の技術】
従来より、空気調和機に備えられる冷媒回路として、例えば特開昭６２−２３８９５１号公報に開示されているように、２系統の冷媒回路を備えたものが知られている。この種の冷媒回路は、圧縮機、第１熱源側熱交換器、減圧機構及び第１利用側熱交換器が冷媒配管によって順に接続されて成る１次側冷媒回路と、ポンプ、第２熱源側熱交換器及び第２利用側熱交換器が冷媒配管によって順に接続されて成る２次側冷媒回路とを備えて成っている。そして、１次側冷媒回路の第１利用側熱交換器と２次側冷媒回路の第２熱源側熱交換器との間で熱交換が可能となっていると共に、第２利用側熱交換器が空気調和を行う室内側に配置されている。
【０００３】
このような構成により、室内の冷房運転時には、第１利用側熱交換器で蒸発する冷媒と第２熱源側熱交換器で凝縮する冷媒との間で熱交換が行われ、この凝縮冷媒がポンプにより第２利用側熱交換器に搬送されて蒸発することにより室内を冷房する。一方、室内の暖房運転時には、第１利用側熱交換器で凝縮する冷媒と第２熱源側熱交換器で蒸発する冷媒との間で熱交換が行われ、この蒸発冷媒が第２利用側熱交換器で凝縮することにより室内を暖房する。これにより、１次側冷媒回路の配管長の短縮化を図り、冷凍能力の向上が図れるようになっている。
【０００４】
ところが、このような構成では、２次側冷媒回路において冷媒を循環させるための新たな駆動源としてのポンプが必要であり、消費電力の増大等を招くことになる。また、この駆動源の増加に伴って故障発生要因箇所が増え、装置全体としての信頼性が劣ってしまうといった不具合を招くことになる。
【０００５】
これらの課題を解消するために本発明の発明者らは、２次側冷媒回路に駆動源を備えない、所謂無動力熱搬送方式の熱搬送装置を既に提案している（特願平７−２３１１７４号）。この熱搬送装置は、図４５に示すように（この図４５では回路構成のみを示し回路切換え用の電磁弁などを省略している）、１次側冷媒回路(a) として、圧縮機(b) 、加熱熱交換器(c) 、減圧機構(d) 及び冷却熱交換器(e) を備えさせる一方、２次側冷媒回路(f) として、加熱熱交換器(c) との間で熱交換を行って該加熱熱交換器(c) から冷媒蒸発用の熱量を受ける温熱源熱交換器(g) 、冷却熱交換器(e) との間で熱交換を行って該冷却熱交換器(e) に熱量を与えながら冷媒を凝縮させる冷熱源熱交換器(h) 、室内に配置された利用側熱交換器(i) を備えて構成されている。
【０００６】
そして、室内の暖房運転時には、加熱熱交換器(c) から熱量を受ける温熱源熱交換器(g) と室内温度で冷媒を凝縮する利用側熱交換器(i) との圧力差により、温熱源熱交換器(g) で蒸発したガス冷媒が利用側熱交換器(i) に供給されて凝縮し、これによって室内を暖房する。その後、冷却熱交換器(e) により室内温度よりも低い温度で冷媒を凝縮する冷熱源熱交換器(h) と上記利用側熱交換器(i) との圧力差により、利用側熱交換器(i) で凝縮した冷媒が冷熱源熱交換器(h) に回収されるといった冷媒搬送状態となる。
【０００７】
一方、室内の冷房運転時には、加熱熱交換器(c) から熱量を受ける温熱源熱交換器(g) の冷媒が蒸発して冷熱源熱交換器(h) に供給され、これによって該冷熱源熱交換器(h) に貯留されていた液冷媒が利用側熱交換器(i) に押し出される。そして、冷熱源熱交換器(h) にガス冷媒が、利用側熱交換器(i) に液冷媒が夫々貯留された状態で、冷却熱交換器(e) により冷熱源熱交換器(h) のガス冷媒を凝縮させ、この際、冷熱源熱交換器(h) の圧力降下により生じる利用側熱交換器(i) と冷熱源熱交換器(h) との圧力差により、利用側熱交換器(i) で蒸発して室内を冷房した冷媒が冷熱源熱交換器(h) に回収されるといった冷媒搬送状態となる。
【０００８】
このように、１次側冷媒回路(a) から２次側冷媒回路(f) に与えられる熱量を利用することによって、該２次側冷媒回路(f) にポンプ等の駆動源を備えさせることなしに熱搬送が可能となっている。
【０００９】
【発明が解決しようとする課題】
ところで、このような熱搬送装置の実用性を高めるために、より高い性能を得ることが必要になる。そこで、本発明の発明者らは、この性能の向上を図るために以下の点に着目した。
【００１０】
つまり、特に、室内の冷房運転時においては、加熱熱交換器(c) から温熱源熱交換器(g) に与えられる熱量は、該温熱源熱交換器(g) において蒸発する冷媒に、熱源熱交換器(h) の液冷媒を利用側熱交換器(i) に押し出すだけの圧力が得られれば十分であって、高い蒸発温度を必要としない。また、利用側熱交換器(i) から冷熱源熱交換器(h) に回収されたガス冷媒を凝縮するための吸熱量に比べて少量で済む。
【００１１】
つまり、２次側冷媒回路(f) において温熱源熱交換器(g) が必要とする吸熱量は、冷熱源熱交換器(h) が放出する放熱量に比べて少なく、１次側冷媒回路(a) 全体における吸熱量と放熱量とはアンバランスになっている。そして、上記の出願では、この熱量のアンバランスを解消するために、図４５に示すように、加熱熱交換器(c) に対して放熱用の室外熱交換器(j) を並列に接続し、この室外熱交換器(j) と加熱熱交換器(c) とにおける放熱量の総量を冷却熱交換器(e) における吸熱量に一致させるようにしていた。図４６には、このように構成された１次側冷媒回路(a) におけるモリエル線図を示している。
【００１２】
そして、このモリエル線図に示すように、圧縮機(b) からの吐出冷媒（点Ｉ）を分流して夫々を個別の熱交換器(c,j) によって放熱（凝縮）するものでは、この１次側冷媒回路(a) の性能向上に限界があった。つまり、１次側冷媒回路(a) の性能向上を図るための手段の１つとして熱交換器（凝縮器）の出口側の冷媒（点II）の過冷却度を大きく確保することがあるが、上記の構成では、室外熱交換器(j) の熱交換面積を大きくせねば高い過冷却度を得ることができず、これでは、装置の大型化を招いてしまい実用的ではない。
【００１３】
本発明は、この点に鑑みてなされたものであって、１次側冷媒回路から与えられる熱量を利用することで、２次側冷媒回路において駆動源を必要としない無動力熱搬送方式の熱搬送装置に対し、１次側冷媒回路の構成を改良し、凝縮側の熱交換器の出口側における冷媒の過冷却度を大きくすることにより装置の性能の向上を図ることを目的とする。
【００１４】
【課題を解決するための手段】
上記の目的を達成するために、本発明は、１次側冷媒回路において凝縮機として作用する熱交換器を直列に配設し、この両者の凝縮作用により冷媒の過冷却度を大きく確保できるようにした。
【００１５】
具体的に、請求項１記載の発明は、図１の如く、冷媒搬送手段(11)、放熱手段(12)、減圧手段(13)及び吸熱手段(15)が冷媒配管(16)によって熱源側冷媒の循環が可能に順に接続された熱源側冷媒回路(A) と、利用側液冷媒を貯留し上記放熱手段(12)の熱源側冷媒から熱を受けて利用側液冷媒が蒸発する温熱源手段(1) 、利用側ガス冷媒を貯留し吸熱手段(15)の熱源側冷媒により熱が奪われて利用側ガス冷媒が凝縮する冷熱源手段(2) 及び利用側手段(3) が配管により接続された利用側冷媒回路(B) とを備え、上記熱源側冷媒回路(A) において、冷媒搬送手段(11)から熱源側冷媒を放熱手段(12)に供給し、該放熱手段(12)において熱源側冷媒から温熱源手段(1) の利用側液冷媒に熱を与えた後、該熱源側冷媒を減圧手段(13)で減圧して吸熱手段(15)で蒸発させて冷熱源手段(2) の利用側ガス冷媒から熱を奪う一方、上記利用側冷媒回路(B) において、放熱手段(12)の熱源側冷媒から熱が与えられる温熱源手段(1) の利用側液冷媒を蒸発させ、これによる温熱源手段(1) の内圧上昇を利用して利用側冷媒回路(B) 内の利用側液冷媒を利用側手段(3) に供給し、この供給された利用側液冷媒を利用側手段(3) で蒸発させ、吸熱手段(15)の熱源側冷媒により熱が奪われる冷熱源手段(2) の利用側ガス冷媒を凝縮させ、これによる冷熱源手段(2) の内圧下降を利用して利用側手段(3) で蒸発した利用側ガス冷媒を冷熱源手段(2) に供給するようにした熱搬送装置を対象としている。そして、上記冷媒搬送手段(11)の下流側に、放熱手段(12)で熱源側冷媒が過冷却されるように、冷媒搬送手段(11)からの熱源側冷媒を凝縮させる凝縮手段(14)が設けた構成としている。
【００１６】
このような構成により、熱源側冷媒回路(A) では、冷媒搬送手段(11)からの熱源側冷媒が、凝縮手段(14)で凝縮された後、放熱手段(12)において温熱源手段(1) の利用側液冷媒に熱を与え、これによって過冷却状態となる。その後、該熱源側冷媒は減圧手段(13)で減圧され、吸熱手段(15)で冷熱源手段(2) の利用側冷媒と熱交換を行って蒸発する。そして、利用側冷媒回路(B) では、放熱手段(12)の熱源側冷媒より熱を受けて蒸発する温熱源手段(1) の利用側冷媒により、該温熱源手段(1) の内圧が上昇し、該圧力を利用することで利用側冷媒回路(B) 内の利用側液冷媒を利用側手段(3) に供給し、該利用側液冷媒が利用側手段(3) で蒸発する。このような冷媒循環動作であるために、吸熱手段(15)には過冷却状態の熱源側冷媒が供給されることになるので、この吸熱手段(15)と冷熱源手段(2) との間の熱交換量を大きく確保することができて、装置全体としての性能を向上することができる。
【００１７】
請求項２記載の発明は、上記請求項１記載の熱搬送装置において、利用側冷媒回路(B) を、温熱源手段(1) と冷熱源手段(2) とをガス流通管(4) 及び液流通管(5) によって接続して閉回路を形成し、利用側手段(3) を冷媒配管(6,7) によってガス流通管(4) 及び液流通管(5) に接続して構成する。そして、温熱源手段(1) で蒸発した利用側ガス冷媒をガス流通管(4) により冷熱源手段(2) に供給して該冷熱源手段(2) の利用側液冷媒を冷媒配管(7) を経て利用側手段(3) に押し出し、上記冷熱源手段(2) に利用側ガス冷媒が、利用側手段(3) に利用側液冷媒が夫々導入されている状態で、冷熱源手段(2) において利用側ガス冷媒を凝縮させた時、冷熱源手段(2) の圧力降下により生じる利用側手段(3) と冷熱源手段(2) との圧力差により、利用側手段(3) で蒸発する冷媒を冷媒配管(6) を経て冷熱源手段(2) に供給するようにしている。
このような構成により、利用側冷媒回路(B) での冷媒循環動作が円滑に行えることになり、利用側手段(3) の吸熱動作が確実に行える。
【００１８】
請求項３記載の発明は、上記請求項１または２記載の熱搬送装置において、利用側手段(3) を、冷媒が蒸発する吸熱運転及び凝縮する放熱運転を可能とする。そして、熱源側冷媒回路(A) に、上記利用側手段(3) の吸熱運転時、冷媒搬送手段(11)からの熱源側冷媒を、凝縮手段(14)、放熱手段(12)、減圧手段(13)、吸熱手段(15)の順で流す一方、利用側手段(3) の放熱運転時、冷媒搬送手段(11)から放熱手段(12)に供給された熱源側冷媒を、減圧手段(13)を経て凝縮手段(14)及び吸熱手段(15)に分流するように回路を切換える回路切換え手段(E) を備えさせた構成としている。
この構成により、利用側手段(3) の吸熱運転時には凝縮手段(14)及び放熱手段(12)を凝縮器として、利用側手段(3) の放熱運転時には凝縮手段(14)及び吸熱手段(15)を蒸発器として利用することになる。このため、利用側手段(3) の吸熱、放熱運転夫々における熱量のバランスを保ちながら利用側手段(3) の各運転を１種類の冷媒回路で行うことができる。
【００１９】
請求項４記載の発明は、上記請求項１、２または３記載の熱搬送装置において、利用側手段を空調用室内に配置された室内熱交換器(3) とし、凝縮手段を室外空気との間で熱交換を行う室外熱交換器(14)とした構成である。
この構成により、室内熱交換器(3) の吸熱運転時に、利用側冷媒回路(B) から熱源側冷媒回路(A) に搬送された熱は室外熱交換器(14)によって室外に排出されることになるので、空調用室内を冷却するための高い冷房性能を得ることができる。
【００２０】
【発明の実施の形態】
次に、本発明の実施形態を図面に基いて説明する。また、本実施形態では、１次側及び２次側の２系統の冷媒回路を備え、１次側冷媒回路から２次側冷媒回路に与えられた熱量を利用して該２次側冷媒回路において冷媒を循環させながら室内の空気調和を行うようにした空気調和機の冷媒回路に本発明を適用した場合について説明する。
【００２１】
（第１実施形態）
先ず、第１実施形態について図１を用いて説明する。本実施形態は、冷房専用の空気調和装置として上記１次側冷媒回路及び２次側冷媒回路を構成したものである。図１は、本形態に係る熱搬送装置全体の冷媒回路を示している。この図１に示すように、本冷媒回路は熱源側冷媒回路としての１次側冷媒回路(A) の冷媒と利用側冷媒回路としての２次側冷媒回路(B) の冷媒との間で熱交換が可能となっている。以下、各回路(A,B) について説明する。
【００２２】
先ず、室内の空気との間で熱交換を行って室内の冷房を行う２次側冷媒回路(B) について説明する。この回路(B) は、温熱源手段としての温熱源熱交換器(1) と冷熱源手段としての冷熱源熱交換器(2) とが、ガス流通管(4) 及び液流通管(5) によって接続されて、この温熱源熱交換器(1) と冷熱源熱交換器(2) との間で冷媒の循環が可能とされた閉回路を備えている。また、これら温熱源熱交換器(1) と冷熱源熱交換器(2) との設置状態は、冷熱源熱交換器(2) が温熱源熱交換器(1) よりも上方に配置されている。
【００２３】
更に、この２次側冷媒回路(B) は、空気調和を行うための室内に設置された利用側手段としての室内熱交換器(3) が、ガス配管(6) を介してガス流通管(4) に、液配管(7) を介して液流通管(5) に夫々接続されている。
【００２４】
また、上記ガス流通管(4) におけるガス配管(6) の接続位置と温熱源熱交換器(1) との間にはガス冷媒用電磁弁(EV1) が設けられ、ガス配管(6) には、室内熱交換器(3) から冷熱源熱交換器(2) へのガス冷媒の流通のみを許容するガス冷媒用逆止弁(CVG) が設けられている。これによりガス流路切換え手段(8) が構成されている。
【００２５】
また、液流通管(5) における液配管(7) の接続位置と温熱源熱交換器(1) との間には、冷熱源熱交換器(2) から温熱源熱交換器(1) への冷媒の流通のみを許容する第１逆止弁(CV1) 及び液冷媒用電磁弁(EV4) が備えられている。また、液配管(7) には、冷熱源熱交換器(2) から室内熱交換器(3) への液冷媒の流通のみを許容する第２逆止弁(CV3) が備えられている。これにより液流路切換え手段(9) が構成されている。そして、上記各電磁弁(EV1,EV4) はコントローラ(C) によって開閉制御されるようになっている。
【００２６】
次に、２次側冷媒回路(B) に対して熱量を与える１次側冷媒回路(A) について説明する。この回路(A) は、冷媒搬送手段としての圧縮機(11)、上記温熱源熱交換器(1) との間で熱交換が可能とされた放熱手段としての加熱用熱交換器(12)、減圧手段としての膨張弁(13)及び上記冷熱源熱交換器(2) との間で熱交換が可能とされた吸熱手段としての冷却用熱交換器(15)が冷媒配管(16)により冷媒の循環が可能に順に接続されている。
【００２７】
そして、この１次側冷媒回路(A) の特徴としては、上記圧縮機(11)の吐出側で、該圧縮機(11)と加熱用熱交換器(12)との間には、外気との間で熱交換器を行う凝縮手段としての室外熱交換器(14)が配設されていることにある。また、この室外熱交換器(14)近傍には室外ファン(F) が配置されており、この室外ファン(F) の駆動により外気との間の熱交換が促進されるようになっている。このような構成により、圧縮機(11)から吐出された高温高圧の冷媒ガスは、先ず、室外熱交換器(14)において外気との間で熱交換を行って冷却されて凝縮した後、加熱用熱交換器(12)において温熱源熱交換器(1) の冷媒との間で熱交換を行い、その後、膨張弁(13)で減圧され、冷却用熱交換器(15)で蒸発して圧縮機(11)に戻るようになっている。
【００２８】
次に、上述の如く構成された本冷媒回路における室内の冷房運転時について説明する。尚、この運転状態の説明に用いる図２の各熱交換器(1,2,3) では、夫々におけるガス冷媒と液冷媒との貯留量の割合を示している。
【００２９】
この冷房運転開始前には、予め冷熱源熱交換器(2) に液冷媒が貯留されており、２次側冷媒回路(B) にあっては、コントローラ(C) によってガス冷媒用電磁弁(EV1) が開放され且つ液冷媒用電磁弁(EV4) が閉鎖されている。
【００３０】
具体的に各回路(A,B) における冷媒循環動作について説明すると、１次側冷媒回路(A) においては、圧縮機(11)から吐出された高温高圧のガス冷媒が、室外熱交換器(14)において外気との間で熱交換を行って凝縮した後、加熱用熱交換器(12)において温熱源熱交換器(1) の冷媒との間で熱交換を行い、該温熱源熱交換器(1) の冷媒に熱を与えて過冷却状態となる。その後、この過冷却状態となった冷媒は、膨張弁(13)において減圧され、冷却用熱交換器(15)において冷熱源熱交換器(2) との間で熱交換を行い、該冷熱源熱交換器(2) の冷媒から熱を奪って蒸発し、圧縮機(11)に吸入されるといった循環動作を繰り返す。
【００３１】
一方、２次側冷媒回路(B) にあっては、温熱源熱交換器(1) が加熱用熱交換器(12)から所定の熱量を受け、この温熱源熱交換器(1) では冷媒が蒸発して、該温熱源熱交換器(1) から高圧のガス冷媒が、図２(a) に示すように、ガス流通管(4) を介して冷熱源熱交換器(2) に供給される。すると、この圧力の作用により、予め冷熱源熱交換器(2) に貯留されていた液冷媒は、図２(b) に示すように、液流通管(5) 及び液配管(7) を介して室内熱交換器(3) に向って押出される。また、この図２(a),(b) に示す状態では冷熱源熱交換器(2) における放熱は行われない。
【００３２】
そして、このような状態が所定時間継続して行われた後、コントローラ(C) によってガス冷媒用電磁弁(EV1) が閉鎖される。この状態では、温熱源熱交換器(1) から冷熱源熱交換器(2) へのガス冷媒の供給は停止される。そして、冷熱源熱交換器(2) にガス冷媒が室内熱交換器(3) に液冷媒が夫々導入された状態において、冷熱源熱交換器(2) において冷却用熱交換器(15)との熱交換によりガス冷媒が凝縮され、この凝縮に伴う圧力降下により該冷熱源熱交換器(2) の内圧が室内熱交換器(3) よりも低くなり、この圧力差によって図２(c) に示すように室内熱交換器(3) で蒸発する冷媒は冷熱源熱交換器(2) に導入されることになる。つまり、室内熱交換器(3) では冷媒と室内空気との間で熱交換が行われて室内空気が冷却される。
【００３３】
このような冷房運転が所定回数繰り返されて、温熱源熱交換器(1) の液冷媒の貯留量が所定量以下に達した時には、冷房運転が停止されて、液冷媒回収運転に切換えられる。この冷媒回収運転では、コントローラ(C) により、各電磁弁(EV1,EV4) が共に開放される。これにより、温熱源熱交換器(1) と冷熱源熱交換器(2) とが均圧される。そして、上述したように、冷熱源熱交換器(2) は温熱源熱交換器(1) よりも上方に配置されているので、この高低差により冷熱源熱交換器(2) の液冷媒が温熱源熱交換器(1) に回収される。尚、ガス配管(6) にはガス冷媒用逆止弁(CVG) が設けられていることにより、この液冷媒回収運転時に、温熱源熱交換器(1) からのガス冷媒が室内熱交換器(3) に流れ込むことはない。また、この液冷媒回収運転にあっては冷熱源熱交換器(2) では冷却用熱交換器(15)との間での熱交換を行わないようにしている。以上のような冷房運転と液冷媒回収運転とが交互に行われて、室内が冷房されることになる。このように、本形態の熱搬送装置では、２次側冷媒回路(B) にポンプ等の駆動源を備えさせることなく、該２次側冷媒回路(B) において熱搬送を行うことができる。
【００３４】
そして、本形態の構成によれば、１次側冷媒回路(A) において、圧縮機(11)の吐出側に室外熱交換器(14)と加熱用熱交換器(12)とを直列に配置し、これによって、室外熱交換器(14)で凝縮した液冷媒を加熱用熱交換器(12)において過冷却状態まで冷却することができるので、冷却用熱交換器(15)と冷熱源熱交換器(2) との間の熱交換量を大きく確保することができて、装置全体としての性能を向上することができる。つまり、図３に示す１次側冷媒回路(A) でのモリエル線図のように、従来では、１次側冷媒回路(A) を循環する冷媒が過冷却状態とならず、図３に破線で示す線図となっており、冷却用熱交換器(15)と冷熱源熱交換器(2) との間の熱交換量は図３に示す寸法ｔ１であったが、本形態によれば、この熱交換量は図３に示す寸法ｔ２と大きくなり、これによって冷熱源熱交換器(2) の凝縮能力の向上を図ることができる。
【００３５】
（第２実施形態）
次に、第２実施形態について図４〜図７を用いて説明する。本実施形態は、冷房運転と暖房運転とが切換え可能な空気調和装置として１次側冷媒回路(A) 及び２次側冷媒回路(B) を構成したものであり、ここでは、特に、上述した第１実施形態との相違点について説明する。図４は、本形態に係る熱搬送装置の１次側冷媒回路(A) を、図５は２次側冷媒回路(B) を夫々示しており、上述した第１実施形態と同様に、加熱用熱交換器(12)と温熱源熱交換器(1) との間及び冷却用熱交換器(15)と冷熱源熱交換器(2) との間で夫々熱交換が可能となるように組み合わされている。以下、各回路(A,B) について説明する。
【００３６】
１次側冷媒回路(A) は、図４に示すように、圧縮機(11)の吐出側と室外熱交換器(14)とが高圧ガスライン(16HG)により、室外熱交換器(14)と加熱用熱交換器(12)とが第１の液ライン(16L1)により、加熱用熱交換器(12)と膨張弁(13)とが第２の液ライン(16L2)により、膨張弁(13)と冷却用熱交換器(15)とが低圧液ライン(16LL)により、冷却用熱交換器(15)と圧縮機(11)の吸入側とが低圧ガスライン(16LG)により夫々接続されている。また、高圧ガスライン(16HG)には、冷房運転時に開放され暖房運転時に閉鎖される第１電磁弁(SV1) が、第２の液ライン(16L2)には、同じく冷房運転時に開放され暖房運転時に閉鎖される第２電磁弁(SV2) が、第１の液ライン(16L1)には、冷房運転時に全開状態とされ暖房運転時に開度調整される暖房減圧電動弁(EVW) が夫々設けられている。
【００３７】
更に、高圧ガスライン(16HG)における圧縮機(11)の吐出側及び第１電磁弁(SV1) の間と、第２の液ライン(16L2)における加熱用熱交換器(12)及び第２電磁弁(SV2) の間には暖房高圧ガスライン(16WHG) が架設されており、この暖房高圧ガスライン(16WHG) には第３電磁弁(SV3) が設けられている。また、第１の液ライン(16L1)における加熱用熱交換器(12)及び暖房減圧電動弁(EVW) の間と、第２の液ライン(16L2)における第２電磁弁(SV2) 及び膨張弁(13)の間には暖房高圧液ライン(16WHL) が架設されており、この暖房高圧液ライン(16WHL) には、第４電磁弁(SV4) が設けられている。更に、高圧ガスライン(16HG)における室外熱交換器(14)及び第１電磁弁(SV1) の間と、低圧ガスライン(16LG)には暖房低圧ガスライン(16WLG) が架設されており、この暖房低圧ガスライン(16WLG) には第５電磁弁(SV5) が設けられている。そして、これら各第３〜第５電磁弁(SV3〜SV5)は、冷房運転時に閉鎖され暖房運転時に開放されるようになっている。このようにして各第１〜第５電磁弁(SV1〜SV5)及びにより回路切換え手段(E) が構成されている。そして、この各電磁弁(SV1〜SV5)及び電動弁(13,EVW)はコントローラ(C) によって開閉状態が制御されるようになっている。
【００３８】
一方、２次側冷媒回路(B) は、図５に示すように、ガス流通管(4) におけるガス配管(6) の接続位置と冷熱源熱交換器(2) との間に第１電磁弁(EV1) が設けられ、ガス配管(6) に第２電磁弁(EV2) が設けられ、上記第１電磁弁(EV1) 及び冷熱源熱交換器(2) の間と第２電磁弁(EV2) 及び室内熱交換器(3) の間とを接続する接続管(10)には第３電磁弁(EV3) が設けられ、更に、この接続管(10)には室内熱交換器(3) から冷熱源熱交換器(2) へのガス冷媒の流通のみを許容するガス冷媒用逆止弁(CVG) が設けられている。このようにしてガス流路切換え手段(8) が構成されている。
【００３９】
また、液流通管(5) における液配管(7) の接続位置と温熱源熱交換器(1) との間には第４電磁弁(EV4) が設けられ、更に、この部分には冷熱源熱交換器(2) から温熱源熱交換器(1) への液冷媒の流通のみを許容する液冷媒用逆止弁(CVL) が設けられ、液配管(7) には第５電動弁(EV5) が設けられている。このようにして液流路切換え手段(9) が構成されている。そして、上記各電磁弁(EV1〜EV4)及び電動弁(EV5) もコントローラ(C) によって開閉状態が切換え制御されるようになっている。
【００４０】
次に、上述の如く構成された本冷媒回路(A,B) における室内の暖房運転時及び冷房運転時について説明する。先ず、暖房運転時について説明する。この暖房運転時、１次側冷媒回路では、コントローラ(C) によって、第３、第４、第５の各電磁弁(SV3,SV4,SV5) が開放される一方、第１、第２の各電磁弁(SV1,SV2) が閉鎖され、また、各電動弁(13,EVW)が所定開度に調整される。この状態で圧縮機(11)が駆動すると、該圧縮機(11)から吐出された冷媒は図４に破線で示す矢印のように、加熱用熱交換器(12)において温熱源熱交換器(1) の冷媒との間で熱交換を行って凝縮した後、第１の液ライン(16L1)及び暖房高圧液ライン(16WHL) に分流され、各電動弁(13,EVW)で減圧された後、第１の液ライン(16L1)を流れる冷媒は室外熱交換器(14)において外気との間で熱交換を行って蒸発し、低圧液ライン(16LL)を流れる冷媒は冷却用熱交換器(15)において冷熱源熱交換器(2) の冷媒との間で熱交換を行って蒸発し、これら蒸発した冷媒が、低圧ガスライン(16LG)で合流して圧縮機(11)に吸入されるといった循環動作を繰り返す。
【００４１】
一方、２次側冷媒回路(B) にあっては、コントローラ(C) によって第１電磁弁(EV1) 及び第３電磁弁(EV3) が閉鎖されると共に、第２電磁弁(EV2) 、第４電磁弁(EV4) 及び第５電動弁(EV5) が開放される。この状態で、温熱源熱交換器(1) が加熱用熱交換器(12)から所定の熱量を受け、この温熱源熱交換器(1) では冷媒が蒸発して、該温熱源熱交換器(1) から高圧のガス冷媒が、図６(a) に示すように、ガス流通管(4) 及びガス配管(6) を介して室内熱交換器(3) に供給される。そして、この室内熱交換器(3) においてガス冷媒が室内空気との間で熱交換して凝縮され室内空気を加温して室内を暖房する。また、この室内熱交換器(3) では冷媒が室温で凝縮されるのに対し、冷熱源熱交換器(2) では冷媒が冷却用熱交換器(15)の冷媒によって凝縮される。このため、室内熱交換器(3) の内圧は冷熱源熱交換器(2) よりも高くなっており、この圧力差によって、図６(b) に示すように室内熱交換器(3) の液冷媒は冷熱源熱交換器(2) に供給されることになる。つまり、この暖房運転に伴って冷熱源熱交換器(2) には液冷媒が貯留されていくことになる。また、この冷熱源熱交換器(2) にガス冷媒が導入された場合であっても、該冷熱源熱交換器(2) は冷却用熱交換器(15)により熱量が奪われているので、このガス冷媒は比較的低い温度で凝縮されることになる。
【００４２】
そして、このような暖房運転が所定時間行われて、上記冷熱源熱交換器(2) における液冷媒の貯留量が所定量以上に達した時には、暖房運転が停止されて、液冷媒回収運転に切換えられる。この冷媒回収運転では、コントローラ(C) によって第２電磁弁(EV2) 、第３電磁弁(EV3) 及び第５電動弁(EV5) が閉鎖されると共に、第１電磁弁(EV1) 及び第４電磁弁(EV4) が開放される。これにより、図６(c) に示すように、ガス流通管(4) の高圧のガス冷媒が冷熱源熱交換器(2) に導入されることになり、これによって温熱源熱交換器(1) と冷熱源熱交換器(2) とが均圧される。そして、上述したように冷熱源熱交換器(2) は温熱源熱交換器(1) よりも上方に配置されているので、この高低差により冷熱源熱交換器(2) の液冷媒は温熱源熱交換器(1) に回収される。また、この液冷媒回収運転にあっては冷熱源熱交換器(2) では冷却用熱交換器(15)との間での熱交換を行わないようにしている。また、この際、温熱源熱交換器(1) での冷媒の加熱を行わないようにすれば、冷熱源熱交換器(2) との間で均圧される時間が短縮できるので、この液冷媒回収運転を迅速に完了できることになり、運転時間の短縮化を図ることができる。以上のような暖房運転と液冷媒回収運転とが交互に行われて、室内が暖房されることになる。
【００４３】
次に、冷房運転時について説明する。この冷房運転時、１次側冷媒回路では、コントローラ(C) によって、第１、第２の各電磁弁(SV1,SV2) が開放される一方、第３、第４、第５の各電磁弁(SV3,SV4,SV5) が閉鎖され、また、暖房用減圧電動弁(EVW) は全開状態にされ、膨張弁(13)は所定開度に調整される。この状態で圧縮機(11)が駆動すると、上述した第１実施形態の場合と同様に、該圧縮機(11)から吐出された冷媒は、図４に実線で示す矢印のように、室外熱交換器(14)において外気との間で熱交換を行って凝縮した後、加熱用熱交換器(12)において温熱源熱交換器(1) の冷媒との間で熱交換を行い、該温熱源熱交換器(1) の冷媒に熱を与えて過冷却状態となる。その後、この過冷却状態となった冷媒は、膨張弁(13)において減圧され、冷却用熱交換器(15)において冷熱源熱交換器(2) との間で熱交換を行い、該冷熱源熱交換器(2) の冷媒から熱を奪って蒸発し、圧縮機(11)に吸入されるといった循環動作を繰り返す。
【００４４】
一方、２次側冷媒回路では、コントローラ(C) によって第２電磁弁(EV2) 及び第４電磁弁(EV4) が閉鎖されると共に、第１電磁弁(EV1) 、第３電磁弁(EV3) 及び第５電動弁(EV5) が開放される。この状態で、上述した第１実施形態の場合と同様に、図７(a) に示すように、温熱源熱交換器(1) からの高圧のガス冷媒がガス流通管(4) を介して冷熱源熱交換器(2) に供給され、予め冷熱源熱交換器(2) に貯留されていた液冷媒は、図７(b) に示すように、液流通管(5) 及び液配管(7) を介して室内熱交換器(3) に向って押し出される。
【００４５】
そして、このような状態が所定時間継続して行われた後、コントローラ(C) によって第１電磁弁(EV1) が閉鎖され、冷媒が凝縮する冷熱源熱交換器(2) と冷媒が蒸発する室内熱交換器(3) との圧力差によって、図７(c) に示すように、室内熱交換器(3) の冷媒は接続管(10)を経て冷熱源熱交換器(2) に供給されることになる。
【００４６】
そして、このような冷房運転が所定回数繰り返されて、温熱源熱交換器(1) の液冷媒の貯留量が所定量以下に達した時には、冷房運転が停止されて、液冷媒回収運転に切換えられる。この冷媒回収運転では、コントローラ(C) により、第１電磁弁(EV1) 及び第４電磁弁(EV4) が共に開放される。これにより、温熱源熱交換器(1) と冷熱源熱交換器(2) とが均圧され、冷熱源熱交換器(2) の液冷媒が温熱源熱交換器(1) に回収される。
【００４７】
このように本形態によっても、室内の冷房運転時、１次側冷媒回路(A) において、圧縮機(11)の吐出側に室外熱交換器(14)と加熱用熱交換器(12)とが直列に配置されるような回路構成としたことにより、室外熱交換器(14)で凝縮した液冷媒を加熱用熱交換器(12)において過冷却状態まで冷却することができるので、冷却用熱交換器(15)と冷熱源熱交換器(2) との間の熱交換量を大きく確保することができて、装置全体としての性能の向上を図ることができる。
【００４８】
（第３実施形態）
次に、第３実施形態について図８〜図１０を用いて説明する。本実施形態も冷房運転と暖房運転とが切換え可能な空気調和装置として１次側冷媒回路(A) 及び２次側冷媒回路(B) を構成したものであって、２次側冷媒回路(B) に受液器を備え、また、複数の室内ユニット(IU,IU, …) を備えている。図８は、本形態に係る熱搬送装置の室外ユニット(OU)を、図９は各冷媒回路(A,B) 間での熱交換を行わせる熱交換ユニット(EXU) を、図１０は各室内ユニット(IU,IU, …) を夫々示している。以下、各ユニット(OU,EXU,IU) について説明する。
【００４９】
−全体構成−
図８に示すように、本実施形態における冷凍装置としての空気調和装置は、１台の室外ユニット(OU)に対し、１台の熱交換ユニット(EXU) を介して３台の室内ユニット(IU,IU, …) がそれぞれ並列に接続されて構成されている。具体的には、室外ユニット(OU)と熱交換ユニット(EXU) とは、室内の冷房運転時に室外ユニット(OU)から熱交換ユニット(EXU) へ冷媒を供給すると共に室内の暖房運転時に熱交換ユニット(EXU) から室外ユニット(OU)へ液冷媒を回収する第１接続ライン(L1)、室内の暖房運転時に室外ユニット(OU)から熱交換ユニット(EXU) へガス冷媒を供給する第２接続ライン(L2)、室内の冷暖両運転時に熱交換ユニット(EXU) から室外ユニット(OU)へガス冷媒を回収する第３接続ライン(L3)によって接続されている。
【００５０】
また、熱交換ユニット(EXU) と室内ユニット(IU)とは、室内の暖房運転時に熱交換ユニット(EXU) から室内ユニット(IU)へガス冷媒を供給すると共に冷房運転時に室内ユニット(IU)から熱交換ユニット(EXU) へガス冷媒を回収する第４接続ライン(L4)、室内の冷房運転時に熱交換ユニット(EXU) から室内ユニット(IU)へ液冷媒を供給すると共に暖房運転時に室内ユニット(IU)から熱交換ユニット(EXU) へ液冷媒を回収する第５接続ライン(L5)によって接続されている。
【００５１】
以下、各ユニットについて説明する。
−室外ユニットの構成−
室外ユニット(OU)は、圧縮機構（11A)と、四路切換弁（22）と、室外ファン(F) が近接配置された室外熱交換器（14）と、室外電動膨張弁(EVW）とを備えている。上記室外熱交換器（14）におけるガス側である一端にはガス側配管（24）が、液側である他端には液側配管(25)がそれぞれ接続されている。
【００５２】
上記ガス側配管（24）は、四路切換弁（22）によって圧縮機構(11A）の吐出側と吸込側とに切換可能に接続されている。つまり、このガス側配管（24）は、圧縮機構（21）の吐出側と四路切換弁（22）とを接続する吐出ガスライン(24a) 、圧縮機構（21）の吸入側と四路切換弁（22）とを接続する吸入ガスライン(24b) を備えている。また、この吸入ガスライン(24b) にはアキュムレータ（28）が設けられている。一方、液側配管(25)は、上記室外電動膨張弁(EVW) 及びレシーバ(26)が設けられて室外熱交換器（14）と第１接続ライン（L1）とに接続されている。
【００５３】
また、上記第３接続ライン(L3)と吸入ガスライン(24b) とは吸入ライン(27)によって接続され、第３接続ライン(L3)から回収されたガス冷媒を吸入ライン(27)及び吸入ガスライン(24b) を経て圧縮機構(11A) の吸入側に供給するようになっている。また、上記四路切換弁(22)において、ガス側配管(24)が接続されていない接続ポートには、キャピラリチューブ(CP)を備えた補助ライン(24e) の一端が接続されており、この補助ライン(24e) の他端は上記吸入ガスライン(24b) に接続されている。
【００５４】
また、圧縮機構(11A) は、インバータ制御されて多数段階に容量制御される可変容量型の上流側圧縮機（COMP-1）と、運転及び停止の２種類に制御される定容量型の下流側圧縮機（COMP-2）とが並列に接続された所謂ツイン型に構成されている。
【００５５】
そして、この室外ユニット(OU)には、圧縮機構(11A) に潤滑油を戻す油戻し機構（50）が設けられている。この油戻し機構（50）は、油分離器（51）と油戻し管（52）とを備えている。上記油分離器（51）は、ガス側配管（24）の一部である上流側圧縮機（COMP-1）と下流側圧縮機（COMP-2）との各吐出ガスライン(24a-1,24a-2) の合流部に配設されており、下流側圧縮機（COMP-2）の吐出ガスライン(24a-2) には逆止弁（CV-1）が設けられている。また、上記油戻し管（52）は、キャピラリチューブ（CP）を備え、油分離器（51）と第１圧縮機（COMP-1）の吸込管(24b-1) とに接続され、油分離器（51）に溜った潤滑油を常時第１圧縮機（COMP-1）に戻すように構成されている。
【００５６】
更に、上記油戻し管（52）とアキュムレータ(28)の吸込側との間には第２油戻し管(53)が設けられている。この第２油戻し管(53)には油戻し用電磁弁(SVP2)が設けられており、この油戻し用電磁弁(SVP2)の開放時には圧縮機構(11A) の吐出側と吸込側との差圧により油分離器（51）内の潤滑油が強制的に回収されるようになっている。
【００５７】
また、上記吸入ガスライン(24b) の一部である下流側圧縮機（COMP-2）の吸込管(24b-2) は、上流側圧縮機（COMP-1）の吸込管(24b-1) より圧力損失が大きく設定され、両圧縮機（COMP-1，COMP-2）の間にキャピラリチューブ(CP)を備えた均油管（55）が接続されている。この結果、高圧側となる上流側圧縮機（COMP-1）に回収された潤滑油が、低圧側となる下流側圧縮機（COMP-2）に供給されて、各圧縮機（COMP-1,COMP-2)に均等に潤滑油が回収されるようになっている。
【００５８】
更に、下流側圧縮機（COMP-2）の上部と吐出ガスライン(24a-2) の逆止弁（CV-1）より上流側との間には油排出管（56）が接続されている。この油排出管（56）は、例えば、スクロール型圧縮機の上部に溜る潤滑油を吐出ガスライン(24a-2) に排出するように構成されている。
【００５９】
また、この室外ユニット(OU)の液側配管(25)には、リキッドインジェクション管（60）が接続され、該リキッドインジェクション管（60）は、２つに分岐されると共に、この分岐された配管の夫々がインジェクション弁（SVT1，SVT2）とキャピラリチューブ（CP，CP）とを介して上流側圧縮機（COMP-1）と下流側圧縮機（COMP-2）とに接続されている。上記リキッドインジェクション弁（SVT1，SVT2）は、各圧縮機（COMP-1，COMP-2）の吐出ガス冷媒温度の過上昇時に開口して吐出ガス冷媒温度を低下させるように構成されている。
【００６０】
上記圧縮機構(11A) の吐出側と吸込側との間にはホットガスバイパス管（62）が接続され、該ホットガスバイパス管（62）は、ホットガス弁（SVP1）を備え、四路切換弁（22）の上流側とアキュムレータ（28）の上流側とに接続されている。上記ホットガス弁（SVP1）は、主として起動時等において圧縮機構(11A）の吐出側と吸込側とを均圧するように構成されている。
【００６１】
そして、上記四路切換弁(22)及び各弁(EVW,SVP1,SVP2,SVT1)がコントローラ(C) によって開閉状態が制御されるようになっている。
【００６２】
−熱交換ユニットの構成−
熱交換ユニット(EXU) は、温熱源熱交換器(1) 、冷熱源熱交換器(2) 、加熱用熱交換器(12)、冷却用熱交換器(15)、膨張弁(13)、液冷媒の貯留が可能な一対の受液器(20,21) を備えており、上述した各実施形態と同様に、温熱源熱交換器(1) と加熱用熱交換器(12)との間、冷熱源熱交換器(2) と冷却用熱交換器(15)との間で夫々熱交換が可能となっている。
【００６３】
そして、加熱用熱交換器(12)は、第１の液ライン(16L1)により第１接続ライン(L1)に接続されており、加熱用熱交換器(12)と膨張弁(13)とが第２の液ライン(16L2)により、膨張弁(13)と冷却用熱交換器(15)とが低圧液ライン(16LL)により夫々接続されており、冷却用熱交換器(15)は低圧ガスライン(16LG)により第３接続ライン(L3)に接続されている。また、第２の液ライン(16L2)には、冷房運転時に開放され暖房運転時に閉鎖される第２電磁弁(SV2) が設けられている。また、第２の液ライン(16L2)における加熱用熱交換器(12)及び第２電磁弁(SV2) の間と、第２接続ライン(L2)には暖房高圧ガスライン(16WHG) が接続されており、この暖房高圧ガスライン(16WHG) には第３電磁弁(SV3) が設けられている。また、第２の液ライン(16L2)における第２電磁弁(SV2) 及び膨張弁(13)の間と、第１の液ライン(16L1)には暖房高圧液ライン(16WHL) が接続されており、この暖房高圧液ライン(16WHL) には、第４電磁弁(SV4) が設けられている。そして、これら各第３，第４電磁弁(SV3,SV4) は、冷房運転時に閉鎖され暖房運転時に開放されるようになっている。
【００６４】
また、温熱源熱交換器(1) は、ガス流通管(4) を介して冷熱源熱交換器(2) の一端に接続されており、この冷熱源熱交換器(2) の他端は、液流通管(5) を介して温熱源熱交換器(1) に接続されている。詳しくは、ガス流通管(4) は、途中が第１及び第２の２つの分岐ライン(4a,4b) に分岐されており、各分岐ライン(4a,4b) には、室内の冷房運転時に開放され暖房運転時に閉鎖される冷房用電磁弁(SVC) と、室内の暖房運転時に開放され冷房運転時に閉鎖される暖房用電磁弁(SVW) とが夫々直列に配置されている。尚、この各電磁弁(SVC,SVW) の配設位置は、冷房用電磁弁(SVC) が温熱源熱交換器(1) 側、暖房用電磁弁(SVW) が冷熱源熱交換器(2) 側となっている。また、液流通管(5) も、途中が第１及び第２の２つの分岐ライン(5a,5b) に分岐されており、各分岐ライン(5a,5b) には、冷熱源熱交換器(2) から温熱源熱交換(1) へ向う液冷媒の流通のみを許容する一対の逆止弁(CV-2,CV-3) が夫々直列に配置されている。また、この各分岐ライン(5a,5b) の合流部と温熱源熱交換(1) との間にも温熱源熱交換(1) へ向う液冷媒の流通のみを許容する逆止弁(CV-4)が設けられている。
【００６５】
そして、上記各受液器(20,21) は、一端が、ガス流通管(4) の各分岐ライン(4a,4b) における冷房用電磁弁(SVC) と暖房用電磁弁(SVW) との間に接続されている一方、他端が、液流通管(5) の各分岐ライン(5a,5b) における一対の逆止弁(CV-2,CV-3) の間に接続されている。このような構成により、各受液器(20,21) は、冷熱源熱交換器(2) に対して共に並列に接続されていることになる。
【００６６】
また、上記冷熱源熱交換器(2) 及び暖房用電磁弁(SVW) の間と、第４接続ライン(L4)にはガス配管(6a)が架設されており、このガス配管(6a)には冷房運転時に開放され、暖房運転時に閉鎖される第６電磁弁(SV-6)が設けられている。更に、このガス配管(6a)における第４接続ライン(L4)との接続部及び第６電磁弁(SV-6)の間と、ガス流通管(4) における温熱源熱交換器(1) 及び冷房用電磁弁(SVC) の間とにはガス配管(6b)が接続されており、このガス配管(6b)には暖房運転時に開放され、冷房運転時に閉鎖される第７電磁弁(SV-7)が設けられている。
【００６７】
更に、上記冷熱源熱交換器(2) 及び逆止弁(CV-2)の間と、第５接続ライン(L5)には液配管(7a)が架設されており、この液配管(7a)には暖房運転時に開放され、冷房運転時に閉鎖される第８電磁弁(SV-8)と受液器(20,21) に向う方向への液冷媒の流通のみを許容する逆止弁(CV-5)が設けられている。更に、この液配管(7a)における第５接続ライン(L5)との接続部及び第８電磁弁(SV-8)の間と、液流通管(5) における逆止弁(CV-3,CV-4) 同士の間には液配管(7b)が架設されており、この液配管(7b)には冷房運転時に開放され、暖房運転時に閉鎖される第９電磁弁(SV-9)が設けられている。
【００６８】
そして、この熱交換ユニット(EXU) に備えられた各電磁弁(SV-2 〜SV-9) 及び電動弁(13)もコントローラ(C) によって開度制御されるようになっている。
【００６９】
−室内ユニットの構成−
各室内ユニット(IU,IU, …) は、夫々同様の構成でなっており、室内ファン(F')が近接配置された室内熱交換器(3) と、室内電動膨張弁(17)とが直列に接続された構成となっている。そして、室内熱交換器(3) が室内ガス配管(6c)を介して第４接続ライン(L4)に、室内電動膨張弁(17)が室内液配管(7c)を介して第５接続ライン(L5)に夫々接続されている。
【００７０】
−センサ類の構成−
上記室外ユニット（OU）及び各室内ユニット(IU)には、各種のセンサが設けられている。室外ユニット(OU)には、室外空気温度を検出する外気温センサ(Th-1)が室外熱交換器(14)の近傍に、室外熱交換器(14)の液冷媒温度を検出する室外液温センサ(Th-2)が分流管側に、圧縮機構(11A) の吐出ガス冷媒温度を検出する吐出ガス温センサ(Th31,Th32) が各圧縮機（COMP-1，COMP-2）の吐出ガスライン（24a-1,24a-2)に、圧縮機構(11A) の吸入ガス冷媒温度検出する吸入ガス温センサ(Th-4)が圧縮機構(11A) の吸入ガスライン(24b) に、室外熱交換器（14）のガス冷媒温度を検出する室外ガス温センサ（Th-5）がガス側配管(24)にそれぞれ設けられている。更に、圧縮機構(11A) の吐出冷媒圧力を検出する高圧圧力センサ（SP-H）が圧縮機構(11A）の吐出ガスライン(24a) に、圧縮機構(11A）の吸込冷媒圧力を検出する低圧圧力センサ（SP-L）が圧縮機構(11A) の吸入ガスライン(24b) にそれぞれ設けられると共に、各圧縮機（COMP-1，COMP-2）の吐出冷媒圧力が所定高圧になると作動する高圧保護開閉器（H-PS，H-PS）が各圧縮機（COMP-1，COMP-2）の吐出ガスライン(24a-1,24a-2) に設けられている。
【００７１】
一方、各室内ユニット(IU)には、室内空気温度を検出する室温センサ（Th-7）が室内ファン(F')の近傍に、室内熱交換器(3) の液冷媒温度を検出する室内液温センサ(Th-8)が室内液配管(7c)に、室内熱交換器(3) のガス冷媒温度を検出する室内ガス温センサ（Th-9）が室内ガス配管(6c)にそれぞれ設けられている。
【００７２】
−制御の構成−
上記空気調和装置は、各センサ（Th-1〜SP-L）及び開閉器（H-PS〜L-PS）の検出信号がコントローラ(C) に入力され、これら検出信号に基づいて各電磁弁(SV-2 〜SV-9) の開閉切換え、各電動膨張弁(13,17,EVW) の開度調整及び圧縮機構(11A) の容量等を制御している。
【００７３】
−運転動作−
次に、上述の如く構成された空気調和装置の運転動作について説明する。
先ず、室内の暖房運転時について説明する。この暖房運転時、コントローラ(C) により、室外ユニット(OU)では、四路切換弁(22)が破線側に切換えられ、電動弁(EVW) が所定開度に調整される。一方、熱交換ユニット(EXU) では、第３、第４、第７、第８、暖房用の各電磁弁(SV-3,SV-4,SV-7,SV-8,SVW) が開放される一方、その他の各電磁弁(SV-2,SV-6,SV-9,SVC)が閉鎖され、また、電動弁(13)が所定開度に調整される。また、室内ユニット(IU)では、室内電動膨張弁(17)が全開状態とされる。
【００７４】
この状態で圧縮機構(11A) が駆動すると、１次側冷媒回路(A) では、該圧縮機構(11A) から吐出された冷媒は図８及び図９に破線で示す矢印のように、室外ユニット(OU)から第２接続ライン(L2)を経て熱交換ユニット(EXU) に導入され、加熱用熱交換器(12)において温熱源熱交換器(1) の冷媒との間で熱交換を行って凝縮した後、第１の液ライン(16L1)及び暖房高圧液ライン(16WHL) に分流され、第１の液ライン(16L1)を流れる冷媒は第１接続ライン(L1)から室内ユニット(IU)に戻り、電動弁(EVW) によって減圧された後、室外熱交換器(14)において外気との間で熱交換を行って蒸発する。一方、暖房高圧液ライン(16WHL) を流れる冷媒は、電動弁(13)によって減圧された後、低圧液ライン(16LL)を経て冷却用熱交換器(15)において冷熱源熱交換器(2) の冷媒との間で熱交換を行って蒸発し、第３接続ライン(L3)から室内ユニット(IU)に戻る。そして、これら冷媒が、吸入ガスライン(24b) で合流して圧縮機構(11A) に吸入されるといった循環動作を繰り返す。
【００７５】
一方、２次側冷媒回路(B) にあっては、図９及び図１０に二点鎖線で示す矢印のように、温熱源熱交換器(1) が加熱用熱交換器(12)から所定の熱量を受け、この温熱源熱交換器(1) では冷媒が蒸発して、該温熱源熱交換器(1) から高圧のガス冷媒が、ガス流通管(4) 及びガス配管(6b)を介して第４接続ライン(L4)から室内ユニット(IU)の室内熱交換器(3) に供給される。そして、この室内熱交換器(3) においてガス冷媒が室内空気との間で熱交換して凝縮され室内空気を加温して室内を暖房する。また、この室内熱交換器(3) では冷媒が室温で凝縮されるのに対し、冷熱源熱交換器(2) では冷媒が冷却用熱交換器(15)の冷媒によって凝縮される。このため、室内熱交換器(3) の内圧は冷熱源熱交換器(2) よりも高くなっており、この圧力差によって、室内熱交換器(3) の液冷媒は第５接続ライン(L5)より熱交換ユニット(EXU) に回収され、液配管(7a)を流れ、逆止弁(CV-2,CV-2) を経て各受液器(20,21) に回収される。この際、受液器(20,21) に導入されていたガス冷媒は暖房用電磁弁(SVW) を経て冷熱源熱交換器(2) に導入され、該冷熱源熱交換器(2) において凝縮され、この凝縮された液冷媒は冷熱源熱交換器(2) から導出されて、上記室外ユニット(OU)から戻る液冷媒と合流して受液器(20,21) に回収されることになる。
【００７６】
そして、この受液器(20,21) での液冷媒の貯留量が所定量を越えた状態になると、冷房用電磁弁(SVC) を開放すると共に、第７、第９及び暖房用の各電磁弁(SV-7,SV-9,SVW) を閉鎖し、上述した第２実施形態と同様の液冷媒回収運転を行う。
【００７７】
次に、室内の冷房運転時について説明する。この冷房運転時、コントローラ(C) により、室外ユニット(OU)では、四路切換弁(22)が実線側に切換えられ、電動弁(EVW) が全開状態に調整される。一方、熱交換ユニット(EXU) では、第２、第６、第９、冷房用の各電磁弁(SV-2,SV-6,SV-9,SVC)が開放される一方、その他の各電磁弁(SV-3,SV-4,SV-7,SV-8,SVW) が閉鎖され、また、電動弁(13)が所定開度に調整される。また、室内ユニット(IU)でも、室内電動膨張弁(17)が所定開度に調整される。
【００７８】
この状態で圧縮機構(11A) が駆動すると、１次側冷媒回路(A) では、圧縮機構(11A) から吐出された冷媒は図８及び図９に実線で示す矢印のように、室外熱交換器(14)において外気との間で熱交換を行って凝縮した後、室外ユニット(OU)から第１接続ライン(L1)を経て熱交換ユニット(EXU) に導入され、加熱用熱交換器(12)において温熱源熱交換器(1) の冷媒との間で熱交換を行い、該温熱源熱交換器(1) の冷媒に熱を与えて過冷却状態となる。その後、この過冷却状態となった冷媒は、膨張弁(13)において減圧され、冷却用熱交換器(15)において冷熱源熱交換器(2) との間で熱交換を行い、該冷熱源熱交換器(2) の冷媒から熱を奪って蒸発し、第３接続ライン(L3)から室内ユニット(IU)に戻る。そして、この冷媒は、吸入ガスライン(24b) を経て圧縮機構(11A) に吸入されるといった循環動作を繰り返す。
【００７９】
一方、２次側冷媒回路(B) では、図９及び図１０に一点鎖線で示す矢印のように、温熱源熱交換器(1) からの高圧のガス冷媒がガス流通管(4a,4b) を介して受液器(20,21) に供給され、予め受液器(20,21) に貯留されていた液冷媒は、液流通管(5) の各分岐ライン(5a,5b) 、液配管(7b)及び第５接続ライン(L5)を介して室外ユニット(OU)の室内熱交換器(3) に向って押し出される。
【００８０】
そして、このような状態が所定時間継続して行われた後、コントローラ(C) によって冷房用電磁弁(SVC) が閉鎖され、冷媒が凝縮する冷熱源熱交換器(2) と冷媒が蒸発する室内熱交換器(3) との圧力差によって、室内熱交換器(3) の冷媒は第４接続ライン(L4)及びガス配管(6a)を経て冷熱源熱交換器(2) に供給されることになる。そして、この冷媒は、冷熱源熱交換器(2) で凝縮されて液化した後、逆止弁(CV-2)を経て受液器(20,21) に回収される。
【００８１】
そして、このような冷房運転が所定時間行われて、受液器(20,21) の液冷媒の貯留量が所定量以上に達した時、上述と同様の液冷媒回収運転が行われる。
【００８２】
このように本形態によっても、室内の冷房運転時、１次側冷媒回路(A) において、圧縮機構(11A) の吐出側に室外熱交換器(14)と加熱用熱交換器(12)とが直列に配置されるような回路構成としたことにより、室外熱交換器(14)で凝縮した液冷媒を加熱用熱交換器(12)において過冷却状態まで冷却することができるので、冷却用熱交換器(15)と冷熱源熱交換器(2) との間の熱交換量を大きく確保することができて、装置全体としての性能の向上を図ることができる。
【００８３】
また、特に本形態のように、冷熱源熱交換器(2) と並列に受液器(20,21) を設けるようにすれば、運転中に冷熱源熱交換器(2) に貯留される液冷媒の量を低減でき、該冷熱源熱交換器(2) の熱交換面積を十分に確保することができることになる。これにより、冷熱源熱交換器(2) の小型化を図ることができ、装置全体のコンパクトにできる。
【００８４】
（第４実施形態）
次に、第４実施形態について図１１及び図１２を用いて説明する。本実施形態も冷房運転と暖房運転とが切換え可能な空気調和装置として１次側冷媒回路(A) 及び２次側冷媒回路(B) を構成したものである。
【００８５】
本実施形態の１次側冷媒回路(A) は、圧縮機(11)、四路切換弁(22)、室外熱交換器(14)、第１電動弁(EVW) 、１次側熱源熱交換器(12A) 、第２電動弁(13)、補助熱交換器(15A) が冷媒配管(16)によって接続されて成っている。また、１次側熱源熱交換器(12A) と四路切換弁(22)との間には補助熱交換器(15A) をバイパスするバイパスライン(BPL) が設けられている。このバイパスライン(BPL) の途中は２系統に分岐されており、一方に、圧縮機(11)から１次側熱源熱交換器(12A) への冷媒の流通のみを許容する逆止弁(CV-B1) と吐出側電磁弁(SV-B1) とが設けられている。また、他方には、１次側熱源熱交換器(12A) から圧縮機(11)への冷媒の流通のみを許容する逆止弁(CV-B2) と吸入側電磁弁(SV-B2) とが設けられている。
【００８６】
そして、四路切換弁(22)の切換え動作に伴って、室外熱交換器(14)が圧縮機(11)の吐出側に、１次側熱源熱交換器(12A) が圧縮機(11)の吸入側に夫々接続された状態（図１に実線で示す状態）と、室外熱交換器(14)が圧縮機(11)の吸入側に、１次側熱源熱交換器(12A) が圧縮機(11)の吐出側に夫々接続された状態（図１に破線で示す状態）との間で回路切換えが可能となっている。
【００８７】
次に、２次側冷媒回路(B) について説明する。この２次側冷媒回路(B) は、空調用室内に配置された室内熱交換器(3) と、１次側熱源熱交換器(12A) との間で熱の授受を行う２次側熱源熱交換器(1) とがガス配管(6) 及び液配管(7) によって接続され、冷媒の循環が可能な閉回路で構成されている。また、上記ガス配管(6) は室内熱交換器(3) 及び２次側熱源熱交換器(1) の上部に、液配管(7) は室内熱交換器(3) 及び２次側熱源熱交換器(1) の下部に夫々接続されている。
【００８８】
そして、ガス配管(6) には第１電磁弁(SV1) が、液配管(7) には第２電磁弁(SV2) が夫々設けられており、この液配管(7) における室内熱交換器(3) と第２電磁弁(SV2) との間には室内電動膨張弁(EV1) が設けられている。
【００８９】
また、上記各電磁弁(SV1,SV2,SV-B1,SV-B2) 、電動弁(EVW,13,EV1)及び四路切換弁(22)はコントーラ(C) によって開閉制御されるようになっている。
【００９０】
次に、上述の如く構成された本冷媒回路(A,B) における室内の冷房運転時について説明する。
【００９１】
この冷房運転開始時、先ず、１次側冷媒回路(A) にあっては、四路切換弁(22)が実線側に切換えられ、また、第１電動弁(EVW) が所定開度に調整され、第２電動弁(13)が全閉状態にされる。また、バイパスライン(BPL) では、吸入側電磁弁(SV-B2) が開放され、吐出側電磁弁(SV-B1) が閉鎖される。一方、２次側冷媒回路(B) にあっては、第１電磁弁(SV1) が開放され且つ第２電磁弁(SV2) が閉鎖される。
【００９２】
この状態で、圧縮機(11)が駆動し、１次側冷媒回路(A) においては、図１１に実線で示す矢印のように、圧縮機(11)から吐出された高温高圧のガス冷媒が、室外熱交換器(14)において外気との間で熱交換を行って凝縮した後、第１電動弁(EVW) において減圧され、１次側熱源熱交換器(12A) において２次側熱源熱交換器(1) との間で熱交換を行い、該２次側熱源熱交換器(1) の冷媒から熱を奪って蒸発し、バイパスライン(BPL) を経て圧縮機(11)に吸入されるといった循環動作を繰り返す。
【００９３】
一方、２次側冷媒回路(B) にあっては、図１１に一点鎖線の矢印で示すように、１次側熱源熱交換器(12A) との間で熱交換を行って熱が奪われた２次側熱源熱交換器(1) の冷媒が凝縮することで２次側熱源熱交換器(1) の内圧が低下し、これによって、この２次側熱源熱交換器(1) と室内熱交換器(3) との圧力差により、該室内熱交換器(3) のガス冷媒がガス配管(6) を介して２次側熱源熱交換器(1) に回収される。そして、この２次側熱源熱交換器(1) に回収されたガス冷媒は、１次側熱源熱交換器(12A) を流れる冷媒によって冷却されて液冷媒となり、この２次側熱源熱交換器(1) に貯留される。
【００９４】
このような動作の後、各冷媒回路(A,B) において切換え動作が行われ、第１電動弁(EVW) が全開状態にされ、第２電動弁(13)が所定開度に調整される。また、バイパスライン(BPL) では、各電磁弁(SV-B1),(SV-B2) が共に閉鎖される。一方、２次側冷媒回路(B) にあっては、第１電磁弁(SV1) が閉鎖され且つ第２電磁弁(SV2) 及び室内電動膨張弁(EV1) が開放される。
【００９５】
これにより、１次側冷媒回路(A) においては、図１１に破線の矢印で示すように、圧縮機(11)から吐出された高温高圧のガス冷媒が、室外熱交換器(14)において外気との間で熱交換を行って凝縮した後、１次側熱源熱交換器(12A) において２次側熱源熱交換器(1) との間で熱交換を行い、該２次側熱源熱交換器(1) の冷媒に熱を与えて過冷却状態となった後、第２電動弁(13)において減圧され、補助熱交換器(15A) において外気との間で熱交換を行って蒸発した後、圧縮機(11)に吸入されるといった循環動作を繰り返す。
【００９６】
一方、２次側冷媒回路(B) にあっては、図１１に二点鎖線の矢印で示すように、１次側熱源熱交換器(12A) との間で熱交換を行って熱が与えられた２次側熱源熱交換器(1) の冷媒の一部が蒸発することで該２次側熱源熱交換器(1) の内圧が上昇し、これによって、この２次側熱源熱交換器(1) と室内熱交換器(3) との圧力差により、該２次側熱源熱交換器(1) 内の液冷媒が該２次側熱源熱交換器(1) の下部から液配管(7) を介して室内熱交換器(3) に向って押し出される。そして、この室内熱交換器(3) に向って押し出された液冷媒は、室内電動膨張弁(EV1) によって減圧された後、室内熱交換器(3) において室内空気との間で熱交換を行い、蒸発して室内空気を冷却する。
【００９７】
以上のような各冷媒回路(A,B) での切換え動作が交互に行われることにより、２次側冷媒回路(B) では冷媒が循環され、室内が冷房されることになる。このように、本形態の熱搬送装置では、２次側冷媒回路(B) にポンプ等の駆動源を備えさせることなく、該２次側冷媒回路(B) において熱搬送を行うことができる。
【００９８】
次に、暖房運転時について図１２を用いて説明する。この暖房運転時には、先ず、１次側冷媒回路(A) にあっては、四路切換弁(22)が破線側に切換えられ、また、第１電動弁(EVW) が全開状態にされ、第２電動弁(13)が所定開度に調整される。また、バイパスライン(BPL) では、各電磁弁(SV-B1),(SV-B2) が共に閉鎖される。一方、２次側冷媒回路(B) にあっては、第１電磁弁(SV1) が閉鎖され且つ第２電磁弁(SV2) が開放される。
【００９９】
これにより、１次側冷媒回路(A) においては、図１２に実線の矢印で示すように、圧縮機(11)から吐出された高温高圧のガス冷媒が、補助熱交換器(15A) において外気との間で熱交換を行って凝縮した後、第２電動弁(13)において減圧され、１次側熱源熱交換器(12A) において２次側熱源熱交換器(1) との間で熱交換を行って蒸発し、室外熱交換器(14)を経て圧縮機(11)に吸入されるといった循環動作を繰り返す。
【０１００】
一方、２次側冷媒回路(B) にあっては、図１２に一点鎖線の矢印で示すように、１次側熱源熱交換器(12)との間で熱交換を行って熱が奪われた２次側熱源熱交換器(1) の冷媒が凝縮することで２次側熱源熱交換器(1) の内圧が低下し、これによって、この２次側熱源熱交換器(1) と室内熱交換器(3) との圧力差により、該室内熱交換器(3) の液冷媒が液配管(7) を介して２次側熱源熱交換器(1) に回収される。
【０１０１】
このような動作の後、各冷媒回路(A,B) において切換え動作が行われ、第１電動弁(EVW) が所定開度に調整され、第２電動弁(13)が全閉状態にされる。また、バイパスライン(BPL) では、吐出側電磁弁(SV-B1) が開放され、吸入側電磁弁(SV-B2) が閉鎖される。一方、２次側冷媒回路(B) にあっては、第１電磁弁(SV1) が開放され且つ第２電磁弁(SV2) が閉鎖される。
【０１０２】
これにより、１次側冷媒回路(A) においては、破線の矢印で示すように、圧縮機(11)から吐出された高温高圧のガス冷媒が、バイパスライン(BPL) を経て１次側熱源熱交換器(12A) において２次側熱源熱交換器(1) の冷媒との間で熱交換を行って凝縮した後、第１電動弁(EVW) において減圧され、室外熱交換器(14)において蒸発した後、圧縮機(11)に吸入されるといった循環動作を繰り返す。
【０１０３】
一方、２次側冷媒回路(B) にあっては、図１２に二点鎖線の矢印で示すように、１次側熱源熱交換器(12A) との間で熱交換を行って熱が与えられた２次側熱源熱交換器(1) の冷媒が蒸発することで２次側熱源熱交換器(1) の内圧が上昇し、これによって、この２次側熱源熱交換器(1) と室内熱交換器(3) との圧力差により、該２次側熱源熱交換器(1) 内のガス冷媒が２次側熱源熱交換器(1) の上部からガス配管(6) を介して室内熱交換器(3) に向って供給される。そして、この室内熱交換器(3) に向って供給されたガス冷媒は、室内熱交換器(3) において室内空気との間で熱交換を行い、凝縮して室内空気を加温する。
【０１０４】
以上のような各冷媒回路(A,B) での切換え動作が交互に行われることにより、２次側冷媒回路(B) では冷媒が循環され、室内が暖房されることになる。つまり、この暖房運転時にあっても、２次側冷媒回路(B) にポンプ等の駆動源を備えさせることなく、該２次側冷媒回路(B) において熱搬送を行うことができる。
【０１０５】
このように、本形態の構成にあっても、室内の冷房運転時、室外熱交換器(14)で凝縮した液冷媒を１次側熱源熱交換器(12A) において過冷却状態まで冷却することができるので、１次側冷媒回路(A) の効率の向上が図れる。
【０１０６】
（第５実施形態）
次に、第５実施形態について図１３〜図１６を用いて説明する。本実施形態も冷房運転と暖房運転とが切換え可能な空気調和装置として１次側冷媒回路(A) 及び２次側冷媒回路(B) を構成したものである。
【０１０７】
本実施形態の１次側冷媒回路(A) は、圧縮機(11)、第１及び第２の２個の四路切換弁(22A,22B) 、室外熱交換器(14)、電動弁(EVW) 、１次側第１熱源熱交換器(12A-1) 、１次側第２熱源熱交換器(12A-2) が冷媒配管(16)によって接続されて成っている。
【０１０８】
そして、第１四路切換弁(22A) の切換え動作に伴って、室外熱交換器(14)が圧縮機(11)の吐出側に接続された状態（図１３に実線で示す状態）と、室外熱交換器(14)が圧縮機(11)の吸入側に接続された状態（図１３に破線で示す状態）との間で回路切換えが可能となっている。
【０１０９】
また、第２四路切換弁(22B) の切換え動作に伴って、１次側第１熱源熱交換器(12A-1) が室外熱交換器(14)に、１次側第２熱源熱交換器(12A-2) が圧縮機(11)に夫々接続された状態（図１３に実線で示す状態）と、１次側第１熱源熱交換器(12A-1) が圧縮機(11)に、１次側第２熱源熱交換器(12A-2) が室外熱交換器(14)に夫々接続された状態（図１３に破線で示す状態）との間で回路切換えが可能となっている。
【０１１０】
次に、２次側冷媒回路(B) について説明する。図１４に示すように、この２次側冷媒回路(B) は、互いに並列に接続された一対の熱交換器(1a,1b) で成る２次側熱源熱交換器(1) を複数（本形態では２個）設けている。つまり、ガス配管(6) 及び液配管(7) は夫々２つの分岐配管(6a,6b,7a,7b) に分岐されている。更に、ガス配管(6) の分岐管(6a,6b) は、各々冷房用分岐管(6a-C,6b-C) と暖房用分岐管(6a-W,6b-W) とに分岐されている。そして、冷房用分岐管(6a-C,6b-C) には、室内熱交換器(3) から２次側熱源熱交換器(1A,1B) へのガス冷媒の流通のみを許容する逆止弁(CV1) 及び冷房運転時に開放され暖房運転時に閉鎖される電磁弁(SVC-1) が設けられている。一方、暖房用分岐管(6a-W,6b-W) には、２次側熱源熱交換器(1A,1B) から室内熱交換器(3) へのガス冷媒の流通のみを許容する逆止弁(CV3) 及び暖房運転時に開放され冷房運転時に閉鎖される電磁弁(SVW-1) が設けられている。
【０１１１】
また、液配管(7) の分岐管(7a,7b) も、各々冷房用分岐管(7a-C,7b-C) と暖房用分岐管(7a-W,7b-W) とに分岐されている。そして、冷房用分岐管(7a-C,7b-C) には、２次側熱源熱交換器(1A,1B) から室内熱交換器(3) への液冷媒の流通のみを許容する逆止弁(CV2) 及び冷房運転時に開放され暖房運転時に閉鎖される電磁弁(SVC-2) が設けられている。一方、暖房用分岐管(7a-W,7b-W) には、室内熱交換器(3) から２次側熱源熱交換器(1A,1B) への液冷媒の流通のみを許容する逆止弁(CV3) 及び暖房運転時に開放され冷房運転時に閉鎖される電磁弁(SVW-2) が設けられている。そして、各２次側熱源熱交換器(1A,1B) は第１及び第２の１次側熱交換器(1a,1b) が並列に接続されて夫々構成されており、各熱交換器(1a,1b) が１次側熱源熱交換器との間で熱交換可能となっている。詳しくは、図１４において左側に位置する２次側熱源熱交換器(1A)は１次側第１熱源熱交換器(12A-1) との間で、右側に位置する２次側熱源熱交換器(1B)は１次側第２熱源熱交換器(12A-2) との間で夫々熱交換可能となっている。
【０１１２】
次に、上述の如く構成された本冷媒回路(A,B) における室内の冷房運転時について説明する。
【０１１３】
この冷房運転開始時、先ず、１次側冷媒回路(A) にあっては、第１四路切換弁(22A) 及び第２四路切換弁(22B) が共に実線側に切換えられ、また、電動弁(EVW) が所定開度に調整される。一方、２次側冷媒回路(B) にあっては、右側に位置する２次側熱源熱交換器(1B)に繋る電磁弁(SVC-1) 及び左側に位置する２次側熱源熱交換器(1A)に繋る電磁弁(SVC-2) が開放されると共に、その他の電磁弁が閉鎖される。
【０１１４】
この状態で、圧縮機(11)が駆動し、１次側冷媒回路(A) においては、図１３に実線で示す矢印のように、圧縮機(11)から吐出された高温高圧のガス冷媒が、室外熱交換器(14)において外気との間で熱交換を行って凝縮した後、１次側第１熱源熱交換器(12A-1) において一方の２次側熱源熱交換器(1A)との間で熱交換を行い、該２次側熱源熱交換器(1A)の冷媒に熱を与えて過冷却状態となる。その後、電磁弁(EVW) で減圧され、１次側第２熱源熱交換器(12A-2) において他方の２次側熱源熱交換器(1B)との間で熱交換を行い、該２次側熱源熱交換器(1B)の冷媒から熱を奪って蒸発した後、圧縮機(11)に吸入されるといった循環動作を繰り返す。
【０１１５】
一方、２次側冷媒回路(B) にあっては、右側に位置する２次側熱源熱交換器(1B)が放熱状態とされて、室内熱交換器(3) からガス配管(6) よりガス冷媒を回収する（図１４に実線で示す矢印参照）。そして、この際には、左側に位置する２次側熱源熱交換器(1A)の第１の２次側熱源熱交換器(1a)が吸熱状態とされ、冷媒の蒸発による内圧の上昇に伴って第２の２次側熱源熱交換器(1b)が室内熱交換器(3) に向って液配管(7) より液冷媒を供給する（図１４に破線で示す矢印参照）。
【０１１６】
このような動作が所定時間行われた後、各冷媒回路(A,B) が切換えられる。つまり、１次側冷媒回路(A) にあっては、第２四路切換弁(22B) が破線側に切換えられる。一方、２次側冷媒回路(B) にあっては、右側に位置する２次側熱源熱交換器(1B)に繋る電磁弁(SVC-2) 及び左側に位置する２次側熱源熱交換器(1A)に繋る電磁弁(SVC-1) が開放されると共に、その他の電磁弁が閉鎖される。
【０１１７】
この状態では、１次側冷媒回路(A) において、図１３に一点鎖線で示す矢印のように、圧縮機(11)から吐出された高温高圧のガス冷媒が、室外熱交換器(14)において外気との間で熱交換を行って凝縮し、１次側第２熱源熱交換器(12A-2) において一方の２次側熱源熱交換器(1B)との間で熱交換を行い、該２次側熱源熱交換器(1B)の冷媒に熱を与えて過冷却状態となる。その後、電動弁(EVW) で減圧され、１次側第１熱源熱交換器(12A-1) において他方の２次側熱源熱交換器(1A)との間で熱交換を行い、該２次側熱源熱交換器(1A)の冷媒から熱を奪って蒸発した後、圧縮機(11)に吸入されるといった循環動作を繰り返す。
【０１１８】
一方、２次側冷媒回路(B) にあっては、左側に位置する２次側熱源熱交換器(1A)が放熱状態とされて、室内熱交換器(3) から液冷媒を回収している（図１４に一点鎖線で示す矢印参照）。この際には、右側に位置する２次側熱源熱交換器(1B)の第１の２次側熱源熱交換器(1a)が吸熱状態とされ、冷媒の蒸発による内圧の上昇に伴って第２の２次側熱源熱交換器(1b)が室内熱交換器(3) に向って液冷媒を供給する（図１４に二点鎖線で示す矢印参照）。
【０１１９】
このようにして、両２次側熱源熱交換器(1A,1B) における放熱状態と吸熱状態とが交互に繰り返される。これにより、室内の冷房を連続的に行うことができ、空調性能の向上を図ることができる。
【０１２０】
次に、上述の如く構成された本冷媒回路(A,B) における室内の暖房運転時について説明する。
【０１２１】
この暖房運転開始時、先ず、１次側冷媒回路(A) にあっては、第１四路切換弁(22A) が破線側に第２四路切換弁(22B) が実線側に夫々切換えられ、また、電動弁(EVW) が所定開度に調整される。一方、２次側冷媒回路(B) にあっては、右側に位置する２次側熱源熱交換器(1B)に繋る電磁弁(SVW-1) 及び左側に位置する２次側熱源熱交換器(1A)に繋る電磁弁(SVW-2) が開放されると共に、その他の電磁弁が閉鎖される。
【０１２２】
この状態で、圧縮機(11)が駆動し、１次側冷媒回路(A) においては、図１５に実線で示す矢印のように、圧縮機(11)から吐出された高温高圧のガス冷媒が、１次側第２熱源熱交換器(12A-2) において一方の２次側熱源熱交換器(1B)との間で熱交換を行って凝縮した後、電動弁(EVW) で減圧され、１次側第１熱源熱交換器(12A-1) において他方の２次側熱源熱交換器(1A)との間で熱交換を行って蒸発する。その後、室外熱交換器(14)を経て圧縮機(11)に吸入されるといった循環動作を繰り返す。
【０１２３】
一方、２次側冷媒回路(B) にあっては、左側に位置する２次側熱源熱交換器(1A)が放熱状態とされて、室内熱交換器(3) から液冷媒を回収する（図１６に実線で示す矢印参照）。そして、この際には、右側に位置する２次側熱源熱交換器(1B)が吸熱状態とされ、冷媒の蒸発による内圧の上昇に伴って室内熱交換器(3) に向ってガス冷媒を供給する（図１６に破線で示す矢印参照）。
【０１２４】
このような動作が所定時間行われた後、各冷媒回路(A,B) が切換えられる。つまり、１次側冷媒回路(A) にあっては、第２四路切換弁(22B) が破線側に切換えられる。一方、２次側冷媒回路(B) にあっては、右側に位置する２次側熱源熱交換器(1B)に繋る電磁弁(SVW-2) 及び左側に位置する２次側熱源熱交換器(1A)に繋る電磁弁(SVW-1) が開放されると共に、その他の電磁弁が閉鎖される。
【０１２５】
この状態では、１次側冷媒回路(A) において、図１５に一点鎖線で示す矢印のように、圧縮機(11)から吐出された高温高圧のガス冷媒が、１次側第１熱源熱交換器(12A-1) において一方の２次側熱源熱交換器(1A)との間で熱交換を行って凝縮した後、電動弁(EVW) で減圧され、１次側第２熱源熱交換器(12A-2) において他方の２次側熱源熱交換器(1B)との間で熱交換を行って蒸発する。その後、室外熱交換器(14)を経て圧縮機(11)に吸入されるといった循環動作を繰り返す。
【０１２６】
一方、２次側冷媒回路(B) にあっては、左側に位置する２次側熱源熱交換器(1A)が吸熱状態とされ、冷媒の蒸発による内圧の上昇に伴って室内熱交換器(3) に向って液冷媒を供給する（図１６に二点鎖線で示す矢印参照）。この際には、右側に位置する２次側熱源熱交換器(1B)の第１の２次側熱源熱交換器(1a)が放熱状態とされ、室内熱交換器(3) から液冷媒を回収する（図１６に一点鎖線で示す矢印参照）。
【０１２７】
このようにして、両２次側熱源熱交換器(1A,1B) における放熱状態と吸熱状態とが交互に繰り返される。これにより、室内の冷房を連続的に行うことができ、空調性能の向上を図ることができる。
【０１２８】
（第６実施形態）
次に、第６実施形態について図１７〜図１９を用いて説明する。本実施形態も冷房運転と暖房運転とが切換え可能な空気調和装置として１次側冷媒回路(A) 及び２次側冷媒回路(B) を構成したものである。
【０１２９】
先ず、１次側冷媒回路(A) について説明する。この１次側冷媒回路(A) は、圧縮機(11)、四路切換弁(22)、室外熱交換器(14)、室外電動膨張弁(EVW) 、１次側熱源熱交換器(12)が冷媒配管(16)によって接続されており、１次側熱源熱交換器(12)のガス側が四路切換弁(22)を介して圧縮機(11)の吸入側と吐出側とに切換え可能に接続されている。また、室外熱交換器(14)と室外電動膨張弁(EVW) との間には、該室外電動膨張弁(EVW) から室外熱交換器(14)への冷媒の流通のみを許容する逆止弁(CV-1)が設けられている。また、この１次側冷媒回路(A) は、２次側冷媒回路(B) との間で熱交換を行うための加熱用熱交換器(D3)及び冷却用熱交換器(D5)を備えている。加熱用熱交換器(D3)の一端（図１７における下端）は、逆止弁(CV-2)を備えた第１冷房液ライン(CL-1)により上記室外熱交換器(14)と逆止弁(CV-1)との間の冷媒配管(16)に接続されており、他端（図１７における上端）は、第２冷房液ライン(CL-2)により上記室外電動膨張弁(EVW) と逆止弁(CV-1)との間の冷媒配管(16)に接続されている。また、この第２冷房液ライン(CL-2)には冷房時に開放され、暖房時に閉鎖される第１電磁弁(SV-1)が設けられている。更に、この第２冷房液ライン(CL-2)における加熱用熱交換器(D3)及び第１電磁弁(SV-1)の間と、圧縮機(11)の吐出側とには暖房ガスライン(WGL) が架設されており、この暖房ガスライン(WGL) には、暖房時に開放され冷房時に閉鎖される第２電磁弁(SV-2)が設けられている。また、第１冷房液ライン(CL-1)と１次側熱源熱交換器(12)との間には暖房液ライン(WLL) が架設されており、この暖房液ライン(WLL) には、暖房時に開放され冷房時に閉鎖される第３電磁弁(SV-3)が設けられている。更に、冷却用熱交換器(D5)の一端（図１７における下端）は、吸入ガスライン(IGL) により圧縮機(11)の吸入側に接続されており、他端（図１７における上端）は、冷却用液ライン(CLL) により上記第１冷房液ライン(CL-1)に接続されている。また、この冷却用液ライン(CLL) には電動弁(D4)が設けられている。
【０１３０】
一方、２次側冷媒回路(B) は、上記１次側熱源熱交換器(12)との間で熱交換が可能とされた２次側熱源熱交換器(1) と室内熱交換器(3,3,3) とがガス配管(6) 及び液配管(7) によって接続されている。そして、液配管(7) の一部が第１及び第２の分岐配管(7a,7b) に分岐されており、夫々に液冷媒を貯留した第１及び第２のタンク(T1,T2) が接続管(17a,17b) により接続されている。また、液配管(7) の第１分岐配管(7a)における接続管(17a) の接続位置と２次側熱源熱交換器(1) との間には、第１タンク(T1)から２次側熱源熱交換器(1) への液冷媒の流通のみを許容する逆止弁(CV3-A) が設けられ、また、この第１分岐配管(7a)における接続管(17a) の接続位置と室内熱交換器(3,3) との間には、室内熱交換器(3,3) から第１タンク(T1)への液冷媒の流通のみを許容する逆止弁(CV4-A) が設けられている。一方、液配管(7) の第２分岐配管(7b)における接続管(17b) の接続位置と２次側熱源熱交換器(1) との間には、第２タンク(T2)から２次側熱源熱交換器(1) への液冷媒の流通のみを許容する逆止弁(CV3-B) が設けられ、また、この第２分岐配管(7b)における接続管(17b) の接続位置と室内熱交換器(3,3) との間には、室内熱交換器(3,3) から第２タンク(T2)への液冷媒の流通のみを許容する逆止弁(CV4-B) が設けられている。また、各接続管(17a,17b) の２箇所の接続部(X,Y) のうち、２次側熱源熱交換器(1) 側の接続部(X) と２次側熱源熱交換器(1) との間には第４電磁弁(SV-4)が、室内熱交換器(3,3,3) 側の接続部(Y) と室内熱交換器(3,3,3) との間には第５電磁弁(SV-5)が夫々設けられている。更に、２次側熱源熱交換器(1) 及び第４電磁弁(SV-4)の間と接続部(Y) とには液冷媒回収管(LR1) が架設されており、この液冷媒回収管(LR1) には第６電磁弁(SV-6)が設けられている。また、同様に、室内熱交換器(3,3,3) 及び第５電磁弁(SV-5)の間と接続部(X) とには液冷媒供給管(LS1) が架設されており、この液冷媒供給管(LS1) には第７電磁弁(SV-7)が設けられている。
【０１３１】
また、各タンク(T1,T2) の上端部には、加減圧機構(18)が第１及び第２の加減圧管(19d,19e) により接続されている。この各加減圧機構(18)は、一方のタンク(T1)に対して高圧を作用させている際には、他方のタンク(T2)に対して低圧を作用させ、この状態を交互に切換えるものである。詳しくは、第１及び第２の加減圧管(19d,19e) に第１及び第２の駆動用熱交換器(E1,E2) が接続されていると共に、この駆動用熱交換器(E1,E2) は上記の加熱用及び冷却用熱交換器(D3,D5) との間で熱交換を行うことによって各タンク(T1,T2) に対して冷媒循環用の圧力を導入するようにしている。また、第２の駆動用熱交換器(E2)には一対の貯留器(20,21) が並列に接続されている。
【０１３２】
つまり、第１タンク(T1)の上端部に接続されている第１加減圧管(19d) は、第１駆動用熱交換器(E1)に繋がる第１分岐管(19d-A) と、一方の貯留器(20)に繋がる第２分岐管(19d-B) とに分岐されている。そして、第１分岐管(19d-A) には第８電磁弁(SV-8)が、第２分岐管(19d-B) には第１タンク(T1)から貯留器(20)への冷媒の流通のみを許容する逆止弁（CV-5) が夫々設けられている。一方、第２タンク(T2)の上端部に接続されている第２加減圧管(19e) は、上記第２分岐管(19d-B) に繋がる２本の第３及び第４分岐管(19e-A,19e-B) に分岐されている。そして、第３分岐管(19e-A) には第２タンク(T2)から貯留器(20)への冷媒の流通のみを許容する逆止弁（CV-6) と第９電磁弁(SV-9)とが、他方の加減圧分岐管(19e-B) には第１０，第１１電磁弁(SV-10,SV-11) が夫々設けられている。
【０１３３】
そして、上記第２駆動用熱交換器(E2)の上端部は減圧管(19e-C) によって第３加減圧分岐管(19e-A) に接続されている。また、一方の貯留器(21)の上端は、第１２，第１３電磁弁(SV-12,SV-13) を介して減圧管(19e-C) 及び第４分岐管(19e-B) に夫々接続されている。更に、各駆動用熱交換器(E1,E2) は逆止弁(CV-7,CV-8,CV-9)を介して各貯留器(20,21) の下端及び液配管(7) に夫々接続されている。
【０１３４】
更に、上記ガス配管(6) と液配管(7) とは第１４電磁弁(SV-14) を備えた第１バイパス管(BPL-1) により、ガス配管(6) と第１加減圧管(19e) とは第１５電磁弁(SV-15) を備えた第２バイパス管(BPL-2) により夫々接続されている。
【０１３５】
そして、室内の冷房運転時には、１次側冷媒回路(A) では、四路切換弁(22)が実線側に切換えられ、図１８に実線の矢印で示すように、圧縮機(11)から吐出した冷媒が、室外熱交換器(14)で凝縮した後、その一部が加熱用熱交換器(D3)に、他部が減圧弁(D4)により減圧されて冷却用熱交換器(D5)に夫々供給される。そして、加熱用熱交換器(D3)に供給された冷媒は、第１駆動用熱交換器(E1)に熱を与えて過冷却状態となり、その後、加熱用熱交換器(12)において２次側熱源熱交換器(1) の冷媒から熱を奪って蒸発した後、圧縮機(11)に吸入される。一方、冷却用熱交換器(D5)に供給された冷媒は、第２駆動用熱交換器(E2)から熱を奪って蒸発した後、圧縮機(11)に吸入される。
【０１３６】
このような冷媒循環動作により、第１駆動用熱交換器(E1)では冷媒が蒸発して内部が高圧になる一方、第２駆動用熱交換器(E2)では冷媒が凝縮して内部が低圧になる。この状態で、第６，第７，第８電磁弁（SV-6,SV-7,SV-8) が開放され、第４，第５，第９，第１０，第１１及び第１３電磁弁(SV-4,SV-5,SV-9,SV-10,SV-11,SV-13)が閉鎖されることで、第１タンク(T1)には高圧が、第２タンク(T2)には低圧が夫々導入されて、第１タンク(T1)からの液冷媒の排出動作と、第２タンク(T2)への液冷媒の回収動作とが同時に行われ、図１７の破線で示す矢印のように、２次側冷媒回路(B) での冷媒循環が行われる。
【０１３７】
このような冷媒循環動作が所定時間行われた後、各電磁弁の切換え動作が行われ、第６，第７，第９，第１０電磁弁（SV-6,SV-7,SV-9,SV-10) が開放され、第４，第５，第８，第１１及び第１３電磁弁(SV-4,SV-5,SV-8,SV-11,SV-13)が閉鎖されることで、第２タンク(T2)に高圧が、第１タンク(T1)に低圧が夫々導入されて、第２タンク(T2)からの液冷媒の排出動作と、第１タンク(T1)への液冷媒の回収動作とが同時に行われ、図１７の一点鎖線で示す矢印のように、２次側冷媒回路(B) での冷媒循環が行われる。
【０１３８】
このようにして液冷媒を排出するタンクと回収するタンクとが交互に切換えられることにより、室内の冷房運転を連続して行わせることが可能になる。また、第２駆動用熱交換器(E2)において凝縮した液冷媒は、貯留器(20,21) に回収されるので、第２駆動用熱交換器(E2)の熱交換面積を大きく確保することができ、冷却用熱交換器(D5)との間の熱交換量が増大されて装置全体としての性能が向上できる。
【０１３９】
一方、室内の暖房運転時には、１次側冷媒回路(A) では、四路切換弁(22)が破線側に切換えられ、図１９に実線の矢印で示すように、圧縮機(11)から吐出した冷媒の一部が１次側熱源熱交換器(12)に他部が加熱用熱交換器(D3)に夫々供給される。そして、１次側熱源熱交換器(12)に供給された冷媒は２次側熱源熱交換器(1) との間で熱交換を行って凝縮した後、その一部が室外熱交換器(14)に、他部が冷却用熱交換器(D5)に夫々供給される。そして、室外熱交換器(14)に供給された冷媒は、外気との間で熱交換を行って蒸発した後、圧縮機(11)に回収され、冷却用熱交換器(D5)に供給された冷媒は、第２駆動用熱交換器(E2)から熱を奪って蒸発した後、圧縮機(11)に回収される。一方、加熱用熱交換器(D3)に供給された冷媒は、第１駆動用熱交換器(E1)に熱を与えて凝縮し、その後、１次側熱源熱交換器(12)において２次側熱源熱交換器(1) の冷媒に熱を与えて過冷却状態となった後、室外熱交換器(14)及び冷却用熱交換器(D5)で蒸発し、圧縮機(11)に吸入される。
【０１４０】
このような冷媒循環動作により、第１駆動用熱交換器(E1)では冷媒が蒸発して内部が高圧になる一方、第２駆動用熱交換器(E2)では冷媒が凝縮して内部が低圧になる。この状態で、第４，第５，第８電磁弁（SV-4,SV-5,SV-8) が開放され、第６，第７，第９，第１０，第１１及び第１３電磁弁(SV-6,SV-7,SV-9,SV-10,SV-11,SV-13)が閉鎖されることで、第１タンク(T1)には高圧が、第２タンク(T2)には低圧が夫々導入されて、第１タンク(T1)からの液冷媒の排出動作と、第２タンク(T2)への液冷媒の回収動作とが同時に行われ、図１９の破線で示す矢印のように、２次側冷媒回路(B) での冷媒循環が行われる。
【０１４１】
このような冷媒循環動作が所定時間行われた後、各電磁弁の切換え動作が行われ、第４，第５，第９，第１０電磁弁（SV-4,SV-5,SV-9,SV-10) が開放され、第６，第７，第８，第１１及び第１３電磁弁(SV-6,SV-7,SV-8,SV-9,SV-11,SV-13) が閉鎖されることで、第２タンク(T2)に高圧が、第１タンク(T1)に低圧が夫々導入されて、第２タンク(T2)からの液冷媒の排出動作と、第１タンク(T1)への液冷媒の回収動作とが同時に行われ、図１９の一点鎖線で示す矢印のように、２次側冷媒回路(B) での冷媒循環が行われる。
【０１４２】
このようにして液冷媒を排出するタンクと回収するタンクとが交互に切換えられることにより、室内の暖房運転を連続して行わせることが可能になる。この暖房運転時においても、貯留器(20,21) に液冷媒を回収することで、第２駆動用熱交換器(E2)と冷却用熱交換器(D5)との間の熱交換量が増大されて装置全体としての性能が向上できる。
【０１４３】
このように、本形態の構成によっても、室内の冷房運転時、室外熱交換器(14)で凝縮した液冷媒を加熱用熱交換器(D3)において過冷却状態まで冷却することができるので、１次側熱源熱交換器(12)と２次側熱源熱交換器(1) との間の熱交換量を大きく確保することができて、装置全体としての性能の向上を図ることができる。
【０１４４】
（第７実施形態）
次に、第７実施形態として、上述した第１〜第３実施形態に示した１次側冷媒回路と組合わせ可能な８タイプの２次側冷媒回路について説明する。
【０１４５】
−第１タイプ−
本タイプの２次側冷媒回路は、複数の室内の個々に配置された複数の室内熱交換器を備え、夫々が個別に冷房運転と暖房運転とを選択可能とされた所謂冷暖フリーのマルチ型空気調和装置として構成されたものである。
【０１４６】
図２０に示すように、ガス流通管(4) におけるガス配管(6) の接続位置と冷熱源熱交換器(2) との間に第１電磁弁(EV1) が設けられており、ガス配管(6) における各室内熱交換器(3a 〜3d) 側は複数に分岐されて夫々が分岐ガス配管(6a 〜6d) に構成されており、各分岐ガス配管(6a 〜6d) には第２電磁弁(EV2-1〜EV2-4)が設けられている。また、上記第１電磁弁(EV1) 及び冷熱源熱交換器(2) の間と第２電磁弁(EV2-1〜EV2-4)及び室内熱交換器(3a 〜3d) の間とは接続管(10)により接続されている。この接続管(10)は、各室内熱交換器(3a 〜3d) 側が複数に分岐されて夫々が分岐接続管(10a〜10d)に構成されており、各分岐接続管(10a〜10d)には第３電磁弁(EV3-1〜EV3-4)が夫々設けられている。また、接続管(10)には、各室内熱交換器(3a 〜3d) から冷熱源熱交換器(2) へのガス冷媒の流通のみを許容するガス冷媒用逆止弁(CVG) が設けられている。このようにしてガス流路切換え手段(8) が構成されている。
【０１４７】
一方、液流通管(5) における液配管(7) の接続位置と温熱源熱交換器(1) との間には、第４電磁弁(EV4) が設けられ、更に、液流通管(5) には冷熱源熱交換器(2) から温熱源熱交換器(1) への液冷媒の流通のみを許容する液冷媒用逆止弁(CVL) が設けられている。また、液配管(7) は、各室内熱交換器(3a 〜3d) 側が複数に分岐されて夫々が分岐液配管(7a 〜7d) に構成されており、各分岐液配管(7a 〜7d) には第５電動弁(EV5-1〜EV5-4)が夫々設けられている。
【０１４８】
次に、上述の如く構成された本冷媒回路(B) における各室内の空調運転時について説明する。この空調運転状態としては、各室内が共に暖房される状態、つまり全ての室内熱交換器(3a 〜3d) が共に放熱運転を行う状態、各室内が共に冷房される状態、つまり全ての室内熱交換器(3a 〜3d) が共に吸熱運転を行う状態、一部の室内が暖房され他部の室内が冷房される状態、つまり一部の室内熱交換器が放熱運転を行い、他の室内熱交換器が吸熱運転を行う状態とに分けられる。更に、一部の室内が暖房され他の室内が冷房される状態としては、各室全体の熱の収支が暖房要求である場合（例えば、吸熱運転する室内熱交換器よりも放熱運転する室内熱交換器が多い場合）、冷房要求である場合（例えば、放熱運転する室内熱交換器よりも吸熱運転する室内熱交換器が多い場合）、これらが同一である場合（例えば、吸熱運転する室内熱交換器と放熱運転する室内熱交換器とが同数である場合）とに分けられる。以下、各場合について夫々説明する。
【０１４９】
先ず、全ての室内熱交換器(3a 〜3d) が共に放熱運転を行う場合について図２１を用いて説明する。この運転時には、先ず、コントローラ(C) によって第１電磁弁(EV1) 及び各第３電磁弁(EV3-1〜EV3-4)が閉鎖されると共に、各第２電磁弁(EV2-1〜EV2-4)、第４電磁弁(EV4) 及び各第５電動弁(EV5-1〜EV5-4)が開放される。この状態で、図２１(a) に示すように、上述した第２実施形態の場合と同様に、温熱源熱交換器(1) からのガス冷媒が、各分岐ガス配管(6a 〜6d) を経て各室内熱交換器(3a 〜3d) に供給されて凝縮され、各室内の空気を加温し、その後、この凝縮された液冷媒は、図２１(b) に示すように、室内熱交換器(3a 〜3d) と冷熱源熱交換器(2) との圧力差によって各分岐液配管(7a 〜7d) を経て冷熱源熱交換器(2) に供給されることになる。
【０１５０】
そして、上記冷熱源熱交換器(2) における液冷媒の貯留量が所定量以上に達した時には、暖房運転が停止されて、上述した第２実施形態と同様の液冷媒回収運転に切換えられる。この液冷媒回収運転時には、コントローラ(C) によって各第２電磁弁(EV2-1〜EV2-4)、第３電磁弁(EV3-1〜EV3-4)及び第５電動弁(EV5-1〜EV5-4)が閉鎖されると共に、第１電磁弁(EV1) 及び第４電磁弁(EV4) が開放される。この状態で、図２１(c) に示すように、ガス流通管(4) の高圧のガス冷媒が冷熱源熱交換器(2) に導入されることになり、これによって温熱源熱交換器(1) と冷熱源熱交換器(2) とが均圧されて、この各熱交換器(1,2) の高低差により冷熱源熱交換器(2) の液冷媒は温熱源熱交換器(1) に回収される。
【０１５１】
次に、全ての室内熱交換器(3a 〜3d) が共に吸熱運転を行う場合について図２２を用いて説明する。この運転時には、先ず、コントローラ(C) によって各第２電磁弁(EV2-1〜EV2-4)及び第４電磁弁(EV4) が閉鎖されると共に、第１電磁弁(EV1) 、第３電磁弁(EV3-1〜EV3-4)及び第５電動弁(EV5-1〜EV5-4)が開放される。この状態で、上述した第１実施形態の場合と同様に、図２２(a) に示すように、温熱源熱交換器(1) からの高圧のガス冷媒がガス流通管(4) を介して冷熱源熱交換器(2) に供給され、予め冷熱源熱交換器(2) に貯留されていた液冷媒は、図２２(b) に示すように、各分岐液配管(7a 〜7d) を介して室内熱交換器(3a 〜3d) に導入される。
【０１５２】
そして、このような状態が所定時間継続して行われた後、コントローラ(C) によって第１電磁弁(EV1) が閉鎖され、冷媒が凝縮する冷熱源熱交換器(2) と冷媒が蒸発する各室内熱交換器(3a 〜3d) との圧力差によって、図２２(c) に示すように、各室内熱交換器(3a 〜3d) の液冷媒は分岐接続管(10a〜10d)を経て冷熱源熱交換器(2) に供給されることになる。
【０１５３】
そして、このような冷房運転が所定時間行われて、温熱源熱交換器(1) の液冷媒の貯留量が所定量以下に達した時には、冷房運転が停止されて、液冷媒回収運転に切換えられる。この冷媒回収運転では、コントローラ(C) により、第１電磁弁(EV1) 及び第４電磁弁(EV4) が共に開放される。これにより、温熱源熱交換器(1) と冷熱源熱交換器(2) とが均圧され、冷熱源熱交換器(2) の液冷媒が温熱源熱交換器(1) に回収される。
【０１５４】
次に、各室全体の熱の収支が暖房要求である場合、つまり、吸熱運転する室内熱交換器よりも放熱運転する室内熱交換器が多い場合について図２３を用いて説明する。尚、ここでは、図２３における４台の室内熱交換器(3a 〜3d) のうち最も右側に位置する室内熱交換器(3d)のみが吸熱運転し、その他の室内熱交換器(3a 〜3c) が放熱運転する場合を例に挙げて説明する。この運転時には、先ず、コントローラ(C) によって第１電磁弁(EV1) 、放熱運転する室内熱交換器(3a 〜3c) に繋る３個の第３電磁弁(EV3-1〜EV3-3)及び吸熱運転する室内熱交換器(3d)に繋る１個の第２電磁弁(EV2-4) が閉鎖されると共に、放熱運転する室内熱交換器(3a 〜3c) に繋る３個の第２電磁弁(EV2-1〜EV2-3)、第４電磁弁(EV4) 、各第５電動弁(EV5-1〜EV5-4)及び吸熱運転する室内熱交換器(3d)に繋る１個の第３電磁弁(EV3-4) が開放される。この状態で、温熱源熱交換器(1) からのガス冷媒が、図２３(a) に示すように、各分岐ガス配管(6a 〜6c) を経て放熱運転する室内熱交換器(3a 〜3c) に供給されて凝縮され、各室内の空気を加温してこの室内を暖房し、その後、この凝縮された液冷媒は、図２３(b) に示すように、放熱運転する室内熱交換器(3a 〜3c) と冷熱源熱交換器(2) 及び吸熱運転する室内熱交換器(3d)との圧力差によって各分岐液配管(7a 〜7c) を経て冷熱源熱交換器(2) だけでなく分岐液配管(7d)を経て吸熱運転する室内熱交換器(3d)に所定の分配比率で分配供給され、この室内熱交換器(3d)において蒸発して室内を冷房することになる。また、この室内熱交換器(3d)において蒸発したガス冷媒は分岐接続管(10d) を経て冷熱源熱交換器(2) に供給され、該冷熱源熱交換器(2) において凝縮される。
【０１５５】
そして、上記冷熱源熱交換器(2) における液冷媒の貯留量が所定量以上に達した時には、暖房運転が停止されて、液冷媒回収運転に切換えられる。この液冷媒回収運転時には、コントローラ(C) によって各第２電磁弁(EV2-1〜EV2-4)、第３電磁弁(EV3-1〜EV3-4)及び第５電動弁(EV5-1〜EV5-4)が閉鎖されると共に、第１電磁弁(EV1) 及び第４電磁弁(EV4) が開放される。この状態で、図２３(c) に示すように、ガス流通管(4) の高圧のガス冷媒が冷熱源熱交換器(2) に導入されることになり、これによって温熱源熱交換器(1) と冷熱源熱交換器(2) とが均圧されて、この各熱交換器(1,2) の高低差により冷熱源熱交換器(2) の液冷媒は温熱源熱交換器(1) に回収される。
【０１５６】
次に、各室全体の熱の収支が冷房要求である場合、つまり、放熱運転する室内熱交換器よりも吸熱運転する室内熱交換器が多い場合について図２４を用いて説明する。尚、ここでは、図２４における４台の室内熱交換器(3a 〜3d) のうち最も左側に位置する室内熱交換器(3a)のみが放熱運転し、その他の室内熱交換器(3b 〜3d) が吸熱運転する場合を例に挙げて説明する。この運転時には、先ず、コントローラ(C) によって各第２電磁弁(EV2-1〜EV2-4)、第４電磁弁(EV4) 、放熱運転する室内熱交換器(3a)に繋る第３電磁弁(EV3-1) 及び放熱運転する室内熱交換器(3a)に繋る第５電動弁(EV5-1) が閉鎖されると共に、第１電磁弁(EV1) 、吸熱運転する室内熱交換器(3b 〜3d) に繋る第３電磁弁(EV3-2〜EV3-4)及び吸熱運転する室内熱交換器(3b 〜3d) に繋る第５電動弁(EV5-2〜EV5-4)が開放される。この状態で、図２４(a) に示すように、温熱源熱交換器(1) からの高圧のガス冷媒がガス流通管(4) を介して冷熱源熱交換器(2) に供給され、予め冷熱源熱交換器(2) に貯留されていた液冷媒は、図２４(b) に示すように、各分岐液配管(7b 〜7d) を介して吸熱運転する室内熱交換器(3b 〜3d) に導入される。その後、放熱運転する室内熱交換器(3a)に繋る第２電磁弁(EV2-1) 及び放熱運転する室内熱交換器(3a)に繋る第５電磁弁(EV5-1) が開放される一方、第１電磁弁(EV1) が閉鎖され、図２４(c) に示すように、吸熱運転する室内熱交換器(3b 〜3d) において蒸発したガス冷媒は分岐接続管(10b〜10d)を経て冷熱源熱交換器(2) に供給され、該冷熱源熱交換器(2) において凝縮される。また、温熱源熱交換器(1) からのガス冷媒は放熱運転する室内熱交換器(3a)に供給されて該室内熱交換器(3a)で凝縮して室内を暖房した後、分岐液配管(7a)を経て冷熱源熱交換器(2) に供給される。
【０１５７】
そして、このような空調運転が所定時間行われて、温熱源熱交換器(1) の液冷媒の貯留量が所定量以下に達した時には、空調運転が停止されて、液冷媒回収運転に切換えられる。この冷媒回収運転では、コントローラ(C) により、第１電磁弁(EV1) 及び第４電磁弁(EV4) が共に開放される。これにより、温熱源熱交換器(1) と冷熱源熱交換器(2) とが均圧され、冷熱源熱交換器(2) の液冷媒が温熱源熱交換器(1) に回収される。
【０１５８】
次に、各室内熱交換器における放熱量と吸熱量とが同一である場合、つまり、吸熱運転する室内熱交換器と放熱運転する室内熱交換器とが同数である場合について図２５を用いて説明する。尚、ここでは、図２５における４台の室内熱交換器(3a 〜3d) のうち右側に位置する２台の室内熱交換器(3c,3d) が吸熱運転し、左側に位置する２台の室内熱交換器(3a,3b) が放熱運転する場合を例に挙げて説明する。この運転時には、先ず、コントローラ(C) によって第１電磁弁(EV1) 、放熱運転する室内熱交換器(3a,3b) に繋る２個の第３電磁弁(EV3-1,EV3-2) 及び吸熱運転する室内熱交換器(3c,3d) に繋る２個の第２電磁弁(EV2-3,EV2-4) が閉鎖されると共に、放熱運転する室内熱交換器(3a,3b) に繋る２個の第２電磁弁(EV2-1,EV2-2) 、第４電磁弁(EV4) 、各第５電動弁(EV5-1〜EV5-4)及び吸熱運転する室内熱交換器(3c,3d) に繋る２個の第３電磁弁(EV3-3,EV3-4) が開放される。この状態で、温熱源熱交換器(1) からのガス冷媒が、図２５(a) に示すように、各分岐ガス配管(6a,6b) を経て放熱運転する室内熱交換器(3a,3b) に供給されて、凝縮され、各室内の空気を加温してこの室内を暖房し、その後、この凝縮された液冷媒は、図２５(b) に示すように、放熱運転する室内熱交換器(3a,3b) と冷熱源熱交換器(2) 及び吸熱運転する室内熱交換器(3c,3d) との圧力差によって各分岐液配管(7a,7b) を経て冷熱源熱交換器(2) 及び吸熱運転する室内熱交換器(3c,3d) に所定の分配比率で分配供給され、この室内熱交換器(3c,3d) において蒸発して室内を冷房することになる。また、この室内熱交換器(3c,3d) において蒸発したガス冷媒は分岐接続管(10c,10d) を経て冷熱源熱交換器(2) に供給され、該冷熱源熱交換器(2) において凝縮される。
【０１５９】
そして、上記冷熱源熱交換器(2) における液冷媒の貯留量が所定量以上に達した時には、空調運転が停止されて、液冷媒回収運転に切換えられる。この液冷媒回収運転時には、コントローラ(C) によって各第２電磁弁(EV2-1〜EV2-4)、第３電磁弁(EV3-1〜EV3-4)及び第５電動弁(EV5-1〜EV5-4)が閉鎖されると共に、第１電磁弁(EV1) 及び第４電磁弁(EV4) が開放される。この状態で、図２５(c) に示すように、ガス流通管(4) の高圧のガス冷媒が冷熱源熱交換器(2) に導入されることになり、これによって温熱源熱交換器(1) と冷熱源熱交換器(2) とが均圧されて、この高低差により冷熱源熱交換器(2) の液冷媒は温熱源熱交換器(1) に回収される。
【０１６０】
−第２タイプ−
本タイプの２次側冷媒回路は、冷熱源熱交換器(2) 周辺部の冷媒回路を変形したものであって、上述した第３実施形態で示したように、冷熱源熱交換器(2) に受液器を並列に接続したものである。図２６は冷房専用の装置に適用した場合の冷房運転動作を示している。この冷房運転時では、先ず、電磁弁(EV1) を開放すると共に電磁弁(EV11)を閉鎖し、温熱源熱交換器(1) からの高圧のガス冷媒を受液器(22)に供給して（図２６(a) ）、予め受液器(22)に貯留されていた液冷媒を、室内熱交換器(3) に導入する（図２６(b) ）。その後、電磁弁(EV1) を閉鎖すると共に電磁弁(EV11)を開放する。これにより、室内熱交換器(3) に導入されたガス冷媒は、冷熱源熱交換器(2) での冷媒の凝縮に伴って減圧され蒸発した後、この室内熱交換器(3) と冷熱源熱交換器(2) との差圧により冷熱源熱交換器(2) に導入され、該冷熱源熱交換器(2) で凝縮されて液化した後、受液器(22)に回収されることに貯留される液冷媒の量を低減でき、冷熱源熱交換器(2) の小型化を図ることができる。
【０１６１】
また、本変形例の構成では、液冷媒を冷熱源熱交換器(2) や受液器(22)から排出する際に電磁弁(EV1) を閉鎖していることにより、温熱源熱交換器(1) からのガス冷媒が冷熱源熱交換器(2) に供給されて該冷熱源熱交換器(2) が不必要に加熱されるといった状況が回避されるので省エネルギ性の向上を図ることができる。また、逆止弁(CV5) を設けたことで、受液器(22)の液冷媒が冷熱源熱交換器(2) に逆流することはなく、これによっても省エネルギ性の向上が図れる。
【０１６２】
−複数の冷熱源熱交換器を備えた変形例−
以下に述べる第３〜第５タイプの２次側冷媒回路は、冷熱源熱交換器を複数台（本形態では２台）備えさせた構成である。
【０１６３】
−第３タイプ−
本タイプは、第１及び第２の２台の冷熱源熱交換器を備えたものであって、冷房専用の空気調和装置として２次側冷媒回路を構成したものである。
【０１６４】
図２７に示すように、ガス配管(6) はガス流通管(4) との接続側が分岐されて第１及び第２の分岐ガス配管(6e,6f) に形成されており、第１分岐ガス配管(6e)が第１分岐ガス流通管(4a)に、第２分岐ガス配管(6f)が第２分岐ガス流通管(4b)に夫々接続されている。また、これら分岐ガス配管(6e,6f) の分岐ガス流通管(4a,4b) に対する接続位置は、各分岐ガス流通管(4a,4b) に設けられているガス冷媒用電磁弁(EV1-1,EV1-2) と冷熱源熱交換器(2a,2b) との間となっている。
【０１６５】
また、各分岐液配管(7e,7f) には、冷熱源熱交換器(2a,2b) から室内熱交換器(3) への液冷媒の流通のみを許容する第３逆止弁(CV3-1,CV3-2) が夫々設けられている。更に、液流通管(5) には液冷媒用電磁弁(EV4) が設けられており、該液冷媒用電磁弁(EV4) はコントローラ(C) によって開閉制御される。
【０１６６】
次に、上述の如く構成された本冷媒回路(B) における室内の冷房運転時について説明する。この冷房運転開始時には、先ず、コントローラ(C) によって第１分岐ガス流通管(4a)に設けられたガス冷媒用電磁弁(EV1-1) が開放され、且つ第２分岐ガス流通管(4b)に設けられたガス冷媒用電磁弁(EV1-2) 及び液冷媒用電磁弁(EV4) が閉鎖される。この状態で、図２８(a) に示すように、温熱源熱交換器(1) からの高圧のガス冷媒が第１分岐ガス流通管(4a)を介して第１冷熱源熱交換器(2a)に供給される。すると、この圧力の作用により、予め第１冷熱源熱交換器(2a)に貯留されていた液冷媒は、第１分岐液流通管(5a)及び第１分岐液配管(7e)を介して室内熱交換器(3) に導入される。そして、室内熱交換器(3) において液冷媒が室内空気との間で熱交換して蒸発され室内空気を冷却して室内が冷房される。そして、この際、冷媒が凝縮する第２冷熱源熱交換器(2b)と冷媒が蒸発する室内熱交換器(3) との圧力差によって、図２８(b) に示すように、室内熱交換器(3) のガス冷媒は第２分岐ガス配管(6f)を経て第２冷熱源熱交換器(2b)に供給されることになる。
【０１６７】
そして、このような状態が所定時間継続して行われ、第１冷熱源熱交換器(2a)の液冷媒の貯留量が所定量以下になると、コントローラ(C) によって第１分岐ガス流通管(4a)に設けられたガス冷媒用電磁弁(EV1-1) が閉鎖され、且つ第２分岐ガス流通管(4b)に設けられたガス冷媒用電磁弁(EV1-2) が開放される。これにより、図２８(c) に示すように、温熱源熱交換器(1) からの高圧のガス冷媒が第２分岐ガス流通管(4b)を介して第２冷熱源熱交換器(2b)に供給される。すると、この圧力の作用により、第２冷熱源熱交換器(2b)に貯留されている液冷媒は、第２分岐液流通管(5b)及び第２分岐液配管(7f)を介して室内熱交換器(3) に導入される。そして、室内熱交換器(3) において液冷媒が室内空気との間で熱交換して蒸発され室内空気を冷却して室内が冷房される。そして、この際、第１冷熱源熱交換器(2a)と室内熱交換器(3) との圧力差によって、図２８(d) に示すように、室内熱交換器(3) のガス冷媒は第１分岐ガス配管(6e)を経て第１冷熱源熱交換器(2a)に供給されることになる。
【０１６８】
このような各冷熱源熱交換器(2a,2b) の動作を交互に行わせることにより、室内熱交換器(3) における吸熱運転を連続して行うことができる。つまり、室内の冷房運転を連続して行うことができる。
【０１６９】
そして、このような冷房運転が所定時間行われて、温熱源熱交換器(1) の液冷媒の貯留量が所定量以下に達した時には、コントローラ(C) により、液冷媒が貯留されている冷熱源熱交換器(2a),(2b) に繋るガス冷媒用電磁弁(EV1-1),(EV1-2) 及び液冷媒用電磁弁(EV4) が共に開放され、温熱源熱交換器(1) と冷熱源熱交換器(2) とが均圧され、冷熱源熱交換器(2) の液冷媒が温熱源熱交換器(1) に回収される。
【０１７０】
−第４タイプ−
本タイプの２次側冷媒回路は、第１及び第２の２台の冷熱源熱交換器を備えたものであって、暖房運転と冷房運転とが切換え可能な空気調和装置として２次側冷媒回路を構成したものである。尚、本形態も、上述した各実施形態との相違点についてのみ説明する。
【０１７１】
図２９示すように、本形態の２次側冷媒回路(B) におけるガス流路切換え手段(8) は、ガス配管(6) に第２電磁弁(EV2) が設けられ、各分岐ガス流通管(4a,4b) とガス配管(6) との間にガス接続管(20)が設けられている。詳しくは、このガス接続管(20)は、一端が、ガス配管(6) における第２電磁弁(EV2) と室内熱交換器(3) との間に接続され、他端側が分岐されて第１及び第２の分岐ガス接続管(20a,20b) に構成されており、第１分岐ガス接続管(20a) が第１分岐ガス流通管(4a)に、第２分岐ガス接続管(20b) が第２分岐ガス流通管(4b)に夫々接続されている。また、ガス接続管(20)には第３電磁弁(EV3) が、各分岐ガス接続管(20a,20b) には室内熱交換器(3) から冷熱源熱交換器(2a,2b) へのガス冷媒の流通のみを許容するガス冷媒用逆止弁(CVG1,CVG2) が設けられている。
【０１７２】
一方、液流路切換え手段(9) は、第６電動弁(EV6-1,EV6-2) が各分岐液配管(7e,7f) に夫々設けられている。
【０１７３】
このような構成により、本２次側冷媒回路(B) における室内の暖房運転時にあっては、図３０に示すように、一方の冷熱源熱交換器(2a)に対して液冷媒の回収動作が行われている場合には、他方の冷熱源熱交換器(2b)に対しては室内熱交換器(3) で凝縮された液冷媒が供給されており、この動作が交互に繰り返されることになる。
【０１７４】
逆に、室内の冷房運転時にあっては、図３１に示すように、一方の冷熱源熱交換器(2a)から液冷媒が室内熱交換器(3) に供給されている場合には、他方の冷熱源熱交換器(2b)に対しては室内熱交換器(3) で蒸発されたガス冷媒が供給されており、この動作が交互に繰り返されることになる。また、この冷房運転動作に伴って温熱源熱交換器(1) の液冷媒の貯留量が所定量以下に達した場合には液流通管(5) から温熱源熱交換器(1) に液冷媒が回収される。
【０１７５】
−第５タイプ−
本タイプの２次側冷媒回路は、第１及び第２の２台の冷熱源熱交換器及び４つの室内の個々に配置された４台の室内熱交換器を備え、夫々が個別に冷房運転と暖房運転とを選択可能とされた所謂冷暖フリーのマルチ型空気調和装置として構成されている。また、本形態では、回路構成として上述した第１タイプの２次側冷媒回路との差異についてのみ説明する。
【０１７６】
図３２に示すように、本形態の２次側冷媒回路(B) のガス流路切換え手段(8) としては、ガス流通管(4) の冷熱源熱交換器側が分岐されて第１及び第２の分岐ガス流通管(4a,4b) に形成されており、第１分岐ガス流通管(4a)が第１冷熱源熱交換器(2a)に、第２分岐ガス流通管(4b)が第２冷熱源熱交換器(2b)に夫々接続されている。また、この各分岐ガス流通管(4a,4b) には第１電磁弁(EV1-1,EV1-2) が夫々設けられている。
【０１７７】
また、一端が、ガス配管(6) における第２電磁弁(EV2-1〜EV2-4)と室内熱交換器(3a 〜3d) との間に接続され、他端側が第１及び第２の分岐ガス接続管(20a,20b) に分岐されて、第１分岐ガス接続管(20a) が第１分岐ガス流通管(4a)に、第２分岐ガス接続管(20b) が第２分岐ガス流通管(4b)に夫々接続されたガス接続管(20)が設けられており、各分岐ガス接続管(20a,20b) にはガス冷媒用逆止弁(CVG1,CVG2) が設けられている。
【０１７８】
一方、液流路切換え手段(9) としては、液流通管(5) の冷熱源熱交換器側が分岐されて第１及び第２の分岐液流通管(5a,5b) に形成されており、第１分岐液流通管(5a)が第１冷熱源熱交換器(2a)に、第２分岐液流通管(5b)が第２冷熱源熱交換器(2b)に夫々接続されている。更に、液配管(7) における液流通管(5) との接続側も分岐されて第１及び第２の分岐液配管(7e,7f) に構成されており、第１分岐液配管(7e)が第１分岐液流通管(5a)に、第２分岐液配管(7f)が第２分岐液流通管(5b)に夫々接続されている。
【０１７９】
そして、この分岐液流通管(5a,5b) に対する分岐液配管(7e,7f) の接続位置と温熱源熱交換器(1) との間には冷熱源熱交換器(2a,2b) から温熱源熱交換器(1) への液冷媒の流通のみを許容する第１逆止弁(CV1-1,CV1-2) が夫々設けられ、上記各分岐液配管(7e,7f) には第６電動弁(EV6-1,EV6-2) が夫々設けられている。これら説明した構成以外の部分は上述した第１タイプの２次側冷媒回路（図２０参照）と同様の構成となっている。
【０１８０】
このような構成により、本２次側冷媒回路(B) における室内の空調運転時にあっては、上述した第１タイプの２次側冷媒回路の説明で述べた各室内熱交換器(3a 〜3d) の運転状態に応じて冷媒の流通が切換えられ、また、各冷熱源熱交換器(2a,2b) での液冷媒の回収及び供給動作が交互に切換えられることにより、各室内熱交換器(3a 〜3d) の運転が連続して行えることになる。
【０１８１】
つまり、各室全体の熱の収支が暖房要求である場合には、図３３に示すように、一方の冷熱源熱交換器(2a)に対して温熱源熱交換器(1) への液冷媒の回収動作が行われている場合には、他方の冷熱源熱交換器(2b)では放熱運転する室内熱交換器(3a 〜3c) から液冷媒が供給されると共に吸熱運転する室内熱交換器(3d)からガス冷媒が供給されており、この動作が交互に繰り返されることになる。
【０１８２】
また、各室全体の熱の収支が冷房要求である場合には、図３４に示すように、一方の冷熱源熱交換器(2b)に対して吸熱運転する室内熱交換器(3b 〜3d) からガス冷媒が供給されている場合には、他方の冷熱源熱交換器(2a)では温熱源熱交換器(1) への液冷媒の回収動作と吸熱運転する室内熱交換器(3b 〜3d) への液冷媒の供給が行われており、この動作が交互に繰り返されることになる。
【０１８３】
更に、各室内熱交換器における放熱量と吸熱量とが同一である場合には、図３５に示すように、一方の冷熱源熱交換器(2a)に対して温熱源熱交換器(1) への液冷媒の回収動作が行われている場合には、他方の冷熱源熱交換器(2b)では、放熱運転する室内熱交換器(3a,3b) から吸熱運転する室内熱交換器(3c,3d) へ供給されて該室内熱交換器(3c,3d) で蒸発したガス冷媒が供給されており、この動作が交互に繰り返されることになる。
【０１８４】
−複数の受液器を備えた変形例−
以下に述べる第６〜第８タイプの２次側冷媒回路は、連続した空調運転を可能とするための変形例として、液冷媒の貯留が可能とされた複数台（本形態では２台）の受液器を備えさせたものである。
【０１８５】
−第６タイプ−
本形態は、第１及び第２の２台の受液器を備えたものであって、冷房専用の空気調和装置として２次側冷媒回路を構成したものである。
【０１８６】
図３６に示すように、ガス配管(6) のガス流通管(4) に対する接続位置は第２分岐ガス流通管(4b)における第８電磁弁(EV8-2) と冷熱源熱交換器(2) との間に分岐ガス流通管(4b)における第８電磁弁(EV8-2) と冷熱源熱交換器(2) との間になっている。
【０１８７】
また、液配管(7) の液流通管(5) に対する接続位置は第２分岐液流通管(5b)における第１逆止弁(CV1-2) と温熱源熱交換器(1) との間になっている。更に、液流通管(5) には第４電磁弁(EV4) が設けられている。また、本形態の液配管(7) には、第４逆止弁(CV4) が設けられていない。
【０１８８】
次に、上述の如く構成された本冷媒回路(B) における室内の冷房運転時について説明する。この冷房運転開始時には、先ず、コントローラ(C) によって、第１分岐ガス流通管(4a)に設けられた第７電磁弁(EV7-1) 及び第２分岐ガス流通管(4b)に設けられた第８電磁弁(EV8-2) が開放され、且つ第２分岐ガス流通管(4b)に設けられた第７電磁弁(EV7-2) 及び第１分岐ガス流通管(4a)に設けられた第８電磁弁(EV8-1) が閉鎖される。この状態で、図３７(a) に示すように、温熱源熱交換器(1) からの高圧のガス冷媒が第１分岐ガス流通管(4a)を介して第１受液器(25a) に供給される。すると、この圧力の作用により、予め第１受液器(25a) に貯留されていた液冷媒は、第１分岐液流通管(5a)及び液配管(7) を介して室内熱交換器(3) に導入される。そして、室内熱交換器(3) において液冷媒が室内空気との間で熱交換して蒸発され室内空気を冷却して室内が冷房される。そして、この際、冷媒が凝縮する冷熱源熱交換器(2) と冷媒が蒸発する室内熱交換器(3) との圧力差によって、図３７(b) に示すように、室内熱交換器(3) のガス冷媒はガス配管(6) を経て冷熱源熱交換器(2) に供給され、更にその後、ガス冷媒は冷熱源熱交換器(2) で凝縮し、液冷媒となって第２分岐液流通管(5b)を経て第２受液器(25b) に供給されることになる。
【０１８９】
そして、このような状態が所定時間継続して行われ、第１受液器(25a) の液冷媒の貯留量が所定量以下になると、コントローラ(C) によって、第２分岐ガス流通管(4b)に設けられた第７電磁弁(EV7-2) 及び第１分岐ガス流通管(4a)に設けられた第８電磁弁(EV8-1) が開放され、且つ第１分岐ガス流通管(4a)に設けられた第７電磁弁(EV7-1) 及び第２分岐ガス流通管(4b)に設けられた第８電磁弁(EV8-2) が閉鎖される。これにより、図３７(c) に示すように、温熱源熱交換器(1) される。すると、この圧力の作用により、第２受液器(25b) に貯留されている液冷媒は、第２分岐液流通管(5b)及び液配管(7) を介して室内熱交換器(3) に導入される。そして、室内熱交換器(3) において液冷媒が室内空気との間で熱交換して蒸発され室内空気を冷却して室内が冷房される。そして、この際、冷熱源熱交換器(2) と室内熱交換器(3) との圧力差によって、図３７(d) に示すように、室内熱交換器(3) のガス冷媒はガス配管(6) を経て冷熱源熱交換器(2) に供給され、更にその後、ガス冷媒は冷熱源熱交換器(2) で凝縮し、液冷媒となって第１分岐液流通管(5a)を経て第１受液器(25a) に供給されることになる。
【０１９０】
このような各受液器(25a,25b) の動作を交互に行わせることにより、室内熱交換器(3) における吸熱運転を連続して行うことができる。つまり、室内の冷房運転を連続して行うことができる。
【０１９１】
そして、このような冷房運転が所定時間行われて、温熱源熱交換器(1) の液冷媒の貯留量が所定量以下に達した時には、コントローラ(C) により、液冷媒が貯留されている受液器(25a),(25b) に繋る第７電磁弁(EV7-1),(EV7-2) 及び第４電磁弁(EV4) が共に開放され、温熱源熱交換器(1) と冷熱源熱交換器(2) とが均圧され、冷熱源熱交換器(2) の液冷媒が温熱源熱交換器(1) に回収される。
【０１９２】
−第７タイプ−
本タイプの２次側冷媒回路は、第１及び第２の２台の受液器を備えたものであって、暖房運転と冷房運転とが切換え可能な空気調和装置として構成されたものである。尚、本形態でも、上述した各実施形態との相違点についてのみ説明する。
【０１９３】
図３８示すように、本形態の２次側冷媒回路(B) におけるガス流路切換え手段(8) は、第２電磁弁(EV2) が設けられ、各分岐ガス流通管(4a,4b) とガス配管(6) との間にガス接続管(20)が設けられている。詳しくは、このガス接続管(20)は、一端が、ガス配管(6) における第２電磁弁(EV2) と室内熱交換器(3) との間に接続され、他端側が第２分岐ガス流通管(4b)における第８電磁弁(EV8-2) と冷熱源熱交換器(2) との間に接続されている。また、ガス接続管(20)には第３電磁弁(EV3) が設けられている。
【０１９４】
一方、液流路切換え手段(9) は、上述した第６タイプの冷媒回路に加えて、液配管(7) に第９電磁弁(EV9) が設けられ、各分岐液流通管(5a,5b) と液配管(7) との間に液接続管(21)が設けられている。詳しくは、この液接続管(21)は、一端が、液配管(7) における第９電磁弁(EV9) と室内熱交換器(3) との間に接続され、他端側が第２分岐液流通管(5b)における第２逆止弁(CV2-2) と冷熱源熱交換器(2) との間に接続されている。また、液接続管(21)には第１０電磁弁(EV10)が設けられている。
【０１９５】
このような構成により、本２次側冷媒回路(B) における室内の暖房運転時にあっては、図３９に示すように、一方の受液器(25a) に対して液冷媒の回収動作が行われている場合には、他方の受液器(25b) に対しては室内熱交換器(3) で凝縮された液冷媒が供給されており、この動作が交互に繰り返されることになる。
【０１９６】
逆に、室内の冷房運転時にあっては、図４０に示すように、一方の受液器(25a) から液冷媒が室内熱交換器(3) に供給されている場合には、他方の受液器(25b) に対しては、室内熱交換器(3) で蒸発された後、冷熱源熱交換器(2) で凝縮された液冷媒が供給されており、この動作が交互に繰り返されることになる。また、この冷房運転動作に伴って温熱源熱交換器(1) の液冷媒の貯留量が所定量以下に達した場合には液流通管(5) から温熱源熱交換器(1) に液冷媒が回収される。
【０１９７】
−第８タイプ−
本タイプの２次側冷媒回路は、第１及び第２の２台の受液器及び４つの室内の個々に配置された４台の室内熱交換器を備え、夫々が個別に冷房運転と暖房運転とを選択可能とされた所謂冷暖フリーのマルチ型空気調和装置として２次側冷媒回路を構成したものである。
【０１９８】
図４１に示すように、本形態の２次側冷媒回路(B) のガス流路切換え手段(8) としては、ガス流通管(4) の一部が分岐されて第１及び第２の分岐ガス流通管(4a,4b) に形成されており、第１分岐ガス流通管(4a)が第１ガス管(26a) を介して第１受液器(25a) に、第２分岐ガス流通管(4b)が第２ガス管(26b) を介して第２受液器(25b) に夫々接続されている。また、各ガス流通管(4a,4b) におけるガス管(26a,26b) の接続位置と温熱源熱交換器(1) との間には第７電磁弁(EV7-1,EV7-2) が、各分岐ガス流通管(4a,4b) におけるガス管(26a,26b) の接続位置と冷熱源熱交換器(2) との間には第８電磁弁(EV8-1,EV8-2) が夫々設けられている。
【０１９９】
また、液流通管(5) も一部が分岐されて第１及び第２の分岐液流通管(5a,5b) に形成されており、第１分岐液流通管(5a)が第１液管(27a) を介して第１受液器(25a) に、第２分岐液流通管(5b)が第２液管(27b) を介して第２受液器(25b) に夫々接続されている。
【０２００】
そして、この分岐液流通管(5a,5b) に対する液管(27a,27b) の接続位置と温熱源熱交換器(1) との間には受液器(25a,25b) から温熱源熱交換器(1) への液冷媒の流通のみを許容する第１逆止弁(CV1-1,CV1-2) が夫々設けられ、分岐液流通管(5a,5b) に対する液管(27a,27b) の接続位置と冷熱源熱交換器(2) との間には室内熱交換器(3a 〜3d) 及び冷熱源熱交換器(2) から受液器(25a,25b) への液冷媒の流通のみを許容する第２逆止弁(CV2-1,CV2-2) が夫々設けられ、更に、液配管(7) には第９電磁弁(EV9) が設けられ、各分岐液流通管(5a,5b) と液配管(7) との間に液接続管(21)が設けられている。詳しくは、この液接続管(21)は、一端が、液配管(7) における第９電磁弁(EV9) と室内熱交換器(3a 〜3d) との間に接続され、他端側が第２分岐液流通管(5b)における第２逆止弁(CV2-2) と冷熱源熱交換器(2) との間に接続されている。また、液接続管(21)には第１０電磁弁(EV10)が設けられている。これら説明した構成以外の部分は上述した第１タイプの冷媒回路（図２０参照）と同様の構成となっている。
【０２０１】
このような構成により、本２次側冷媒回路(B) における室内の空調運転時にあっては、上述した第１タイプの冷媒回路の説明で述べた各室内熱交換器(3a 〜3d) の運転状態に応じて冷媒の流通が切換えられ、また、各受液器(25a,25b) での液冷媒の回収及び供給動作が交互に切換えられることにより、各室内熱交換器(3a 〜3d) の運転が連続して行えることになる。
【０２０２】
つまり、各室全体の熱の収支が暖房要求である場合には、図４２に示すように、一方の受液器(25a) に対して温熱源熱交換器(1) への液冷媒の回収動作が行われている場合には、他方の受液器(25b) では放熱運転する室内熱交換器(3a 〜3c) から液冷媒が供給されており、この動作が交互に繰り返されることになる。
【０２０３】
また、各室全体の熱の収支が冷房要求である場合には、図４３に示すように、一方の受液器(25b) に対して、吸熱運転する室内熱交換器(3b 〜3d) で蒸発した後、冷熱源熱交換器(2) で凝縮された液冷媒が供給されている場合には、他方の受液器(25a) では温熱源熱交換器(1) への液冷媒の回収動作と吸熱運転する室内熱交換器(3a)への液冷媒の供給が行われており、この動作が交互に繰り返されることになる。
【０２０４】
更に、各室内熱交換器(3a 〜3d) における放熱量と吸熱量とが同一である場合には、図４４に示すように、一方の受液器(25a) に対して温熱源熱交換器(1) への液冷媒の回収動作が行われている場合には、他方の受液器(25b) では、放熱運転する室内熱交換器(3a,3b) から吸熱運転する室内熱交換器(3c,3d) へ供給されて該室内熱交換器(3c,3d) で蒸発したガス冷媒が供給されており、この動作が交互に繰り返されることになる。
【０２０５】
【発明の効果】
以上説明してきたように、本発明によれば以下に述べるような効果が発揮される。請求項１記載の発明によれば、放熱手段及び吸熱手段を備えた熱源側冷媒回路と、放熱手段から熱を受ける温熱源手段及び吸熱手段により熱を奪われる冷熱源手段を備えた利用側冷媒回路とを備え、熱源側冷媒回路と利用側冷媒回路との間の熱交換により、利用側冷媒回路において駆動源を必要とすることなく利用側冷媒の循環を可能とした熱搬送装置に対し、熱源側冷媒回路において、放熱手段で熱源側冷媒が過冷却されるように、冷媒搬送手段の下流側に熱源側冷媒を凝縮させる凝縮手段を設けたために、温熱源手段が必要とする熱量と冷熱源手段が放出する熱量との差を凝縮手段によって吸収することができると共に、吸熱手段には過冷却状態の熱源側冷媒が供給されることになるので、吸熱手段と冷熱源手段との間の熱交換量を大きく確保することができて、装置全体としての性能の向上を図ることができる。
【０２０６】
請求項２記載の発明によれば、利用側手段と冷熱源手段との圧力差により、利用側手段で蒸発する冷媒を冷熱源手段に供給するようにしているので、利用側冷媒回路での冷媒循環動作が円滑に行え、利用側手段の吸熱動作を確実に行わせることができて装置の信頼性の向上が図れる。
【０２０７】
請求項３記載の発明によれば、利用側手段の吸熱運転及び放熱運転に応じて回路切換え手段により回路を切換え、利用側手段の吸熱運転時には凝縮手段及び放熱手段を凝縮器として、放熱運転時には凝縮手段及び吸熱手段を蒸発器として利用するようにしたために、これら各運転時の熱量のバランスを保ちながら利用側手段の各運転を選択的に行わせることができ、装置の汎用性の向上を図ることができる。
【０２０８】
請求項４記載の発明によれば、利用側手段を空調用室内に配置された室内熱交換器とし、凝縮手段を室外空気との間で熱交換を行う室外熱交換器としたために、室内熱交換器の吸熱運転時に、利用側冷媒回路から熱源側冷媒回路に搬送された熱は室外熱交換器によって室外に排出されることになるので、空調用室内を冷却するための高い冷房性能を得ることができ、装置の実用性の向上を図ることができる。
【図面の簡単な説明】
【図１】第１実施形態における冷媒回路の全体構成を示す図である。
【図２】第１実施形態における２次側冷媒回路の冷媒循環動作を示す図である。
【図３】１次側冷媒回路を流れる冷媒のモリエル線図である。
【図４】第２実施形態における１次側冷媒回路を示す図である。
【図５】第２実施形態における２次側冷媒回路を示す図である。
【図６】第２実施形態における暖房運転状態を示す図２相当図である。
【図７】第２実施形態における冷房運転状態を示す図２相当図である。
【図８】第３実施形態における室外ユニットを示す図である。
【図９】第３実施形態における熱交換ユニットを示す図である。
【図１０】第３実施形態における室内ユニットを示す図である。
【図１１】第４実施例における冷房運転状態を示す図１相当図である。
【図１２】第４実施形態における暖房運転状態を示す図１相当図である。
【図１３】第５実施形態における冷房運転状態を示す図４相当図である。
【図１４】第５実施形態における冷房運転状態を示す図５相当図である。
【図１５】第５実施形態における暖房運転状態を示す図４相当図である。
【図１６】第５実施形態における暖房運転状態を示す図５相当図である。
【図１７】第６実施形態における図１相当図である。
【図１８】第６実施形態における冷房運転状態を示す図１相当図である。
【図１９】第６実施形態における暖房運転状態を示す図１相当図である。
【図２０】第１タイプの変形例における２次側冷媒回路を示す図である。
【図２１】第１タイプの変形例において全ての室内が暖房状態である時を示す図２相当図である。
【図２２】第１タイプの変形例において全ての室内が冷房状態である時を示す図２相当図である。
【図２３】第１タイプの変形例において各室全体の熱の収支が暖房要求である時を示す図２相当図である。
【図２４】第１タイプの変形例において各室全体の熱の収支が冷房要求である時を示す図２相当図である。
【図２５】第１タイプの変形例において各室内熱交換器の放熱量と吸熱量とが同一である時を示す図２相当図である。
【図２６】第２タイプの変形例における冷房運転状態を示す図２相当図である。
【図２７】第３タイプの変形例における２次側冷媒回路を示す図である。
【図２８】第３タイプの変形例における図２相当図である。
【図２９】第４タイプの変形例における２次側冷媒回路を示す図である。
【図３０】第４タイプの変形例における暖房運転状態を示す図２相当図である。
【図３１】第４タイプの変形例における冷房運転状態を示す図２相当図である。
【図３２】第５タイプの変形例における２次側冷媒回路を示す図である。
【図３３】第５タイプの変形例において各室全体の熱の収支が暖房要求である時を示す図２相当図である。
【図３４】第５タイプの変形例において各室全体の熱の収支が冷房要求である時を示す図２相当図である。
【図３５】第５タイプの変形例において各室内熱交換器の放熱量と吸熱量とが同一である時を示す図２相当図である。
【図３６】第６タイプの変形例における２次側冷媒回路を示す図である。
【図３７】第６タイプの変形例における図２相当図である。
【図３８】第７タイプの変形例における２次側冷媒回路を示す図である。
【図３９】第７タイプの変形例における暖房運転状態を示す図２相当図である。
【図４０】第７タイプの変形例における冷房運転状態を示す図２相当図である。
【図４１】第８タイプの変形例における２次側冷媒回路を示す図である。
【図４２】第８タイプの変形例において各室全体の熱の収支が暖房要求である時を示す図２相当図である。
【図４３】第８タイプの変形例において各室全体の熱の収支が冷房要求である時を示す図２相当図である。
【図４４】第８タイプの変形例において各室内熱交換器の放熱量と吸熱量とが同一である時を示す図２相当図である。
【図４５】従来例における図１相当図である。
【図４６】従来例における図３相当図である。
【符号の説明】
(1)         温熱源熱交換器（温熱源手段）
(2)         冷熱源熱交換器（冷熱源手段）
(3)         室内熱交換器（利用側熱交換器）
(4)         ガス流通管
(5)         液流通管
(6)         ガス配管
(7)         液配管
(11)        圧縮機（冷媒搬送手段）
(12)        加熱用熱交換器（放熱手段）
(13)        膨張弁（減圧手段）
(14)        室外熱交換器（凝縮手段）
(15)        冷却用熱交換器（吸熱手段）
(16)        冷媒配管
(A)         １次側冷媒回路（熱源側冷媒回路）
(B)         ２次側冷媒回路（利用側冷媒回路）
(E)         回路切換え手段
【図１】
0003543448.tif 000002
【図２】
0003543448.tif 000003
【図３】
0003543448.tif 000004
【図４】
0003543448.tif 000005
【図５】
0003543448.tif 000006
【図６】
0003543448.tif 000007
【図７】
0003543448.tif 000008
【図８】
0003543448.tif 000009
【図９】
0003543448.tif 000010
【図１０】
0003543448.tif 000011
【図１１】
0003543448.tif 000012
【図１２】
0003543448.tif 000013
【図１３】
0003543448.tif 000014
【図１４】
0003543448.tif 000015
【図１５】
0003543448.tif 000016
【図１６】
0003543448.tif 000017
【図１７】
0003543448.tif 000018
【図１８】
0003543448.tif 000019
【図１９】
0003543448.tif 000020
【図２０】
0003543448.tif 000021
【図２１】
0003543448.tif 000022
【図２２】
0003543448.tif 000023
【図２３】
0003543448.tif 000024
【図２４】
0003543448.tif 000025
【図２５】
0003543448.tif 000026
【図２６】
0003543448.tif 000027
【図２７】
0003543448.tif 000028
【図２８】
0003543448.tif 000029
【図２９】
0003543448.tif 000030
【図３０】
0003543448.tif 000031
【図３１】
0003543448.tif 000032
【図３２】
0003543448.tif 000033
【図３３】
0003543448.tif 000034
【図３４】
0003543448.tif 000035
【図３５】
0003543448.tif 000036
【図３６】
0003543448.tif 000037
【図３７】
0003543448.tif 000038
【図３８】
0003543448.tif 000039
【図３９】
0003543448.tif 000040
【図４０】
0003543448.tif 000041
【図４１】
0003543448.tif 000042
【図４２】
0003543448.tif 000043
【図４３】
0003543448.tif 000044
【図４４】
0003543448.tif 000045
【図４５】
0003543448.tif 000046
【図４６】
0003543448.tif 000047